(57)【要約】  容量検出の方法において、センサ電極パターンの第１の複数のセンサ電極は、第１の構成において、処理システムの入力チャネルに結合される。前記センサ電極パターンは、検出領域と関連付けられる。前記第１の複数のセンサ電極の前記第１の構成が利用され、電流測定値が取得される。前記電流測定値の分析によってノイズ環境が決定される。前記第１の複数のセンサ電極の少なくとも１つのサブセットは、第２の構成において、前記入力チャネルに結合される。前記第２の構成と前記第１の構成とは異なる。前記第１の複数のセンサ電極の前記第２の構成が利用され、容量結果信号が取得される。【選択図】図４Ａ
2018523214.tif 000002
【特許請求の範囲】
【請求項１】
容量検出方法であって、
第１の構成において、センサ電極パターンの第１の複数のセンサ電極を処理システムの入力チャネルに結合するステップと、
前記第１の複数のセンサ電極の前記第１の構成を利用して電流測定値を取得するステップと、
前記電流測定値の分析によってノイズ環境を決定するステップと、
第２の構成において、前記第１の複数のセンサ電極の少なくとも１つのサブセットを前記入力チャネルに結合するステップと、
前記第１の複数のセンサ電極の前記第２の構成を利用して容量結果信号を取得するステップと、を有し、
前記センサ電極パターンは、検出領域と関連付けられ、
前記第２の構成と前記第１の構成とは異なる、方法。
【請求項２】
前記容量結果信号に基づいて、前記検出領域に対する入力オブジェクトの位置を決定するステップを更に含む、請求項１に記載の方法。
【請求項３】
前記センサ電極パターンの前記第１の複数のセンサ電極の第２のサブセットを前記入力チャネルに結合するステップと、
前記第２のサブセットを利用して第２の容量結果信号を取得するステップと、を更に有し、
前記第１の複数のセンサ電極の前記少なくとも１つのサブセットと、前記第１の複数のセンサ電極の前記第２のサブセットとが、共通センサ電極を共有しない、請求項１に記載の方法。
【請求項４】
第３の構成において、前記センサ電極パターンの第２の複数のセンサ電極を、前記入力チャネルに結合するステップと、
前記第３の構成を利用して第２の容量結果信号を取得するステップと、を更に有し、
前記第１の複数のセンサ電極と前記第２の複数のセンサ電極とは、共通センサ電極を共有しない、請求項１に記載の方法。
【請求項５】
前記容量結果信号に基づいて、前記検出領域に対する入力オブジェクトの位置を決定する前記ステップが、更に、
前記容量結果信号と前記第２の容量結果信号とに基づいて、前記検出領域に対する入力オブジェクトの位置を決定するステップを有する、請求項４に記載の方法。
【請求項６】
第１の構成において、センサ電極パターンの第１の複数のセンサ電極を処理システムの入力チャネルに結合する前記ステップは、
前記第１の複数のセンサ電極の少なくとも２つのセンサ電極を単一入力チャネルに同時に結合するステップを含む、請求項１に記載の方法。
【請求項７】
前記第１の複数のセンサ電極の少なくとも２つのセンサ電極を単一入力チャネルに同時に結合する前記ステップは、
少なくとも２つのレシーバ電極を前記入力チャネルの単一入力チャネルに同時に結合するステップを含む、請求項６に記載の方法。
【請求項８】
前記複数のセンサ電極の少なくとも２つのセンサ電極を前記単一入力チャネルに同時に結合する前記ステップは、
少なくとも１つのレシーバ電極と１つの他のタイプの電極とを前記単一入力チャネルに同時に結合するステップを含み、
前記他のタイプの電極は、トランスミッタ電極とサイド電極とからなるグループから選択される、請求項６に記載の方法。
【請求項９】
第２の構成において、前記複数のセンサ電極を前記入力チャネルに結合する前記ステップは、
単一センサ電極だけを前記入力チャネルの任意の入力チャネルに結合するステップを含む、請求項１に記載の方法。
【請求項１０】
容量検出入力装置のための処理システムであって、
複数の入力チャネルを含む検出モジュールと、
マージャモジュールと、
決定モジュールと、を備え、
前記検出モジュールは、
前記容量検出入力装置のセンサ電極パターンの第１の複数のセンサ電極を作動させることによって電流測定値を取得してノイズ信号を受信し、
容量検出のためにセンサ電極パターンのセンサ電極を作動させることによって容量結果信号を取得し、
前記マージャモジュールは、
前記電流測定値を取得するための第１の構成において、前記第１の複数のセンサ電極を前記入力チャネルに結合し、
前記容量結果信号を取得するための第２の構成において、前記第１の複数のセンサ電極の少なくとも１つのサブセットを前記入力チャネルに結合し、
前記決定モジュールは、
前記電流測定値の分析によって前記容量検出入力装置のノイズ環境を決定し、
前記容量結果信号に基づいて、前記容量検出入力装置の検出領域内の入力オブジェクトに関する位置情報を決定する、処理システム。
【請求項１１】
前記マージャモジュールは、更に、第３の構成において、前記センサ電極パターンの第２の複数のセンサ電極を前記入力チャネルに結合するように構成され、
前記第１の複数のセンサ電極と前記第２の複数のセンサ電極とは、共通センサ電極を共有せず、
前記検出モジュールは、更に、前記第３の構成を利用して第２の容量結果信号を取得するように構成される、請求項１０の処理システム。
【請求項１２】
前記決定モジュールは、更に、前記容量結果信号と前記第２の容量結果信号に基づいて、前記容量検出入力装置の前記検出領域内の前記入力オブジェクトに関する位置情報を決定するように構成される、請求項１１に記載の処理システム。
【請求項１３】
前記第１の構成は、前記第１の複数のセンサ電極の少なくとも２つのセンサ電極を単一入力チャネルに同時に結合することを含む、請求項１０に記載の処理システム。
【請求項１４】
前記少なくとも２つのセンサ電極は、少なくとも２つのレシーバ電極を含む、請求項１３に記載の処理システム。
【請求項１５】
前記少なくとも２つのセンサ電極が、少なくとも１つのレシーバ電極と１つの他のタイプの電極とを含み、
前記他のタイプの電極は、トランスミッタ電極とサイド電極とからなるグループから選択される、請求項１３に記載の処理システム。
【請求項１６】
前記第１の複数のセンサ電極は、１対の実質的に直角に配置された軸のうち、前記１対の軸のより多数のセンサ電極を有する軸に沿って配置されたセンサ電極を含む、請求項１０に記載の処理システム。
【請求項１７】
第２の構成において、前記複数のセンサ電極を前記入力チャネルに結合する前記ステップは、
単一センサ電極だけを前記入力チャネルの任意の入力チャネルに結合するステップを含む、請求項１０に記載の処理システム。
【請求項１８】
前記マージャモジュールは、
第１の期間中に、前記第１の複数のセンサ電極の第１のサブセットを前記入力チャネルに結合し、
第２の期間中に、前記第１の複数のセンサ電極の第２の全く異なるサブセットを前記入力チャネルに結合することによって、前記第２の構成を実現するように構成され、
前記第１の期間と前記第２の期間とは重ならない、請求項１０に記載の処理システム。
【請求項１９】
検出領域と関連付けられたセンサ電極パターンと、
処理システムと、を備え、
前記処理システムは、
第１の構成において、前記センサ電極パターンの第１の複数のセンサ電極を前記処理システムの入力チャネルに結合し、
電極の前記第１の複数のセンサの前記第１の構成を利用して電流測定値を取得し、
前記電流測定値の分析によってノイズ環境を決定し、
第２の構成において、前記第１の複数のセンサ電極の少なくとも１つのサブセットを前記入力チャネルに結合し、
センサ電極の前記第２の構成を利用して容量結果信号を取得し、
前記容量結果信号に基づいて、前記検出領域に対する入力オブジェクトの位置を決定し、
前記第２の構成と前記第１の構成とは異なる、容量検出入力装置。
【請求項２０】
前記処理システムは、前記第１の複数のセンサ電極の少なくとも２つのセンサ電極を単一入力チャネルに同時に結合して前記第１の構成を実現する、請求項１９に記載の容量検出入力装置。
【請求項２１】
前記少なくとも２つのセンサ電極は、少なくとも２つのレシーバ電極を含む、請求項２０に記載の容量検出入力装置。
【請求項２２】
前記少なくとも２つのセンサ電極は、少なくとも１つのレシーバ電極と１つの他のタイプの電極とを含み、前記他のタイプの電極が、トランスミッタ電極とサイド電極とからなるグループから選択される、請求項２０に記載の容量検出入力装置。
【請求項２３】
前記第１の複数のセンサ電極は、１対の実質的に直角に配置された軸のうち、前記１対の軸のより多数のセンサ電極を有する軸に沿って配置されたセンサ電極を含む、請求項１９に記載の容量検出入力装置。
【請求項２４】
前記処理システムは、単一センサ電極だけを前記入力チャネルの任意の入力チャネルに結合して前記第２の構成を実現するように構成される、請求項１９に記載の容量検出入力装置。
【請求項２５】
前記処理システムは、
第１の期間中に、前記第１の複数のセンサ電極の第１のサブセットを前記入力チャネルに結合し、
第２の期間中に、前記第１の複数のセンサ電極の第２の全く異なるサブセットを前記入力チャネルに結合することによって、前記第２の構成を実現するように構成され、
前記第１の期間と前記第２の期間とは重ならない、請求項１９に記載の容量検出入力装置。
【発明の詳細な説明】
【背景技術】
【０００１】
関連出願の相互参照
[0001]本出願は、デレク Ｒ．ソルベン（Derek R. Solven）らにより「ELECTRODE COMBINING FOR NOISE DETERMINATION」と題し２０１５年６月２３日に出願され、代理人整理番号ＳＹＮＡ−１５００５３ＵＳ０１を有し、本出願の譲受人に譲渡された同時係属米国特許出願第１４／７４８，０４２号に対する優先権及び利益を主張する。
【０００２】
[0002]近接センサデバイス（一般にタッチパッド又はタッチセンサデバイスと呼ばれる）を含む入力装置は、様々な電子システムに幅広く使用される。近接センサデバイスは、典型的には、しばしば面によって区分された検出領域を有し、検出領域内で、近接センサデバイスが１つ以上の入力オブジェクトの存在、位置及び／又は動きを決定する。近接センサデバイスは、電子システムのインタフェースを提供するために使用されうる。例えば、近接センサデバイスは、より大きい計算処理システムの入力装置（ノートブック又はデスクトップコンピュータに組み込まれるかその周辺装置の不透明タッチパッドなど）としてしばしば使用される。また、近接センサデバイスは、より小さい計算処理システム（携帯電話とタブレットコンピュータに組み込まれたタッチスクリーンなど）にしばしば使用される。そのようなタッチスクリーン入力デバイスは、典型的には、電子システムの表示装置の上に重ねられるか、他の方法で表示装置と並置される。
【発明の概要】
【０００３】
[0003]容量検出方法では、第１の構成において、センサ電極パターンの第１の複数のセンサ電極が、処理システムの入力チャネルに結合される。センサ電極パターンは、検出領域と関連付けられる。第１の複数のセンサ電極の第１の構成は、電流の測定を取得するために利用される。電流測定値の分析によってノイズ環境が決定される。第２の構成において、第１の複数のセンサ電極の少なくとも１つのサブセットが、入力チャネルに結合される。第２の構成と第１の構成とは異なる。第１の複数のセンサ電極の第２の構成は、容量結果信号を取得するために利用される。幾つかの実施形態では、容量結果信号に基づいて、検出領域に対する入力オブジェクトの位置が決定される。
【０００４】
[0004]図面の簡単な説明で参照される図面は、特に断りがない限り、一律の縮尺で描かれていないことを理解されたい。実施形態の説明の一部に含まれるか一部を構成する添付図面は、種々の実施形態を示し、実施形態の説明と共に、後述される原理を説明するものであり、類似の呼称は類似の要素を指す。
【図面の簡単な説明】
【０００５】
【図１】実施形態による例示的な入力装置のブロック図である。
【図２Ａ】幾つかの実施形態による、センサ内で利用されてタッチスクリーンなどの入力装置の検出領域の全て又は一部を生成する例示的なセンサ電極パターンを示す図である。
【図２Ｂ】幾つかの実施形態による、幾つかの関連した例示的なサイド電極を図２Ａの例示的センサ電極パターンと共に示す図である。
【図３】幾つかの実施形態による、例示的な処理システムの幾つかの構成要素のブロック図である。
【図４Ａ】様々な実施形態による、センサ電極パターンを処理システムの入力チャネルと結合するように構成された処理システムのマージャモジュール（merger module）のブロック図である。
【図４Ｂ】様々な実施形態による、センサ電極パターンを処理システムの入力チャネルと結合するように構成された処理システムのマージャモジュールのブロック図である。
【図４Ｃ】様々な実施形態による、センサ電極パターン及び関連サイド電極を処理システムの入力チャネル入力に結合するように構成された処理システムのマージャモジュールのブロック図である。
【図５Ａ】様々な実施形態による例示的な容量検出方法のフロー図である。
【図５Ｂ】様々な実施形態による例示的な容量検出方法のフロー図である。
【図５Ｃ】様々な実施形態による例示的な容量検出方法のフロー図である。
【図５Ｄ】様々な実施形態による例示的な容量検出方法のフロー図である。
【発明を実施するための形態】
【０００６】
[0013]実施形態の以下の説明は、限定としてではなく単なる例として提供される。更に、先の背景技術、要約、図面の簡単な説明、又は以下の詳細な説明で提示された如何なる明示的又は暗黙的理論によっても拘束されない。
【０００７】
検討の概要
[0014]本明細書では、高い操作性を容易にする入力装置、処理システム及び方法を提供する様々な実施形態について述べる。本明細書に記述された様々な実施形態では、入力装置は、容量検出入力装置でよい。本明細書に記載された技術を利用することにより、容量センサパターンのセンサ電極を様々な方式で一体化してノイズ情報を測定することによって効率が高められうる。即ち、複数のセンサ電極が、互いに組み合わされ、切り替えられ、又は他の方法で短絡され、それにより、一体化されたセンサ電極と結合された単一入力チャネルが、複数の一体化されたセンサ電極が受けるノイズの合計を測定する。幾つかの実施形態では、センサパターンのセンサ電極の数が、入力チャネルの数を越えるとき、センサ電極のそのような一体化を利用して、単一入力フレーム内でノイズを測定可能にすることによって、複数の入力フレームを利用して電極の一体化なしに同じセンサ電極上でノイズを測定するよりも、ノイズを素早く測定できる。追加又は代替として、幾つかの実施形態では、一体化によって、より少数の入力チャネルが利用可能になり、したがって、ノイズ測定が行われている間に未使用の入力チャネルを遮断するか低電力モードにでき、その結果、同じノイズ測定を行うためにより多くの入力チャネルを使用するよりも電力が節約／保全される。
【０００８】
[0015]最初に、本明細書に言及される様々な実施形態を実現できる例示的な入力装置について述べる。次に、例示的なセンサ電極パターンについて、単独及び幾つかの関連サイド電極と共に述べる。次に、例示的な処理システム及びその幾つかの構成要素について述べる。処理システムは、容量検出入力装置など、入力装置の一部と共に又はその一部として利用されうる。グループにおいて、処理システムの個別の入力チャネルに結合するための様々な複数のセンサ電極を一体化する（即ち、合体する、切り替える、又は短絡させる）ためのマージャモジュールの利用方法の説明を含む、処理システムのマージャモジュールの幾つかの例について述べる。次に、入力装置、処理システム、及びその構成要素の動作を、例示的な入力（容量）検出方法の説明と併せて述べる。
【０００９】
例示的な入力装置
[0016]次に図に移ると、図１は、様々な実施形態による例示的入力装置１００のブロック図である。入力装置１００は、電子システム／装置１５０に入力を提供するように構成されうる。本明細書で使用されるとき、用語「電子システム」（又は「電子装置」）は、広義には、情報を電子的に処理できる任意のシステムを指す。電子システムの幾つかの非限定的な例には、デスクトップコンピュータ、ラップトップコンピュータ、ネットブックコンピュータ、タブレット、ウェブブラウザ、電子ブックリーダ及び携帯情報端末（ＰＤＡ）などの全てのサイズ及び形状のパーソナルコンピュータが含まれる。追加の例示的な電子システムには、入力装置１００及び別個のジョイスティック又はキースイッチを含む物理キーボードのような複合入力装置が含まれる。更に例示的な電子システムには、データ入力装置（リモートコントロールとマウスを含む）やデータ出力装置（表示画面とプリンタを含む）などの周辺装置が含まれる。他の例には、リモート端末、キオスク及びビデオゲーム機（例えば、ビデオゲーム機、携帯ゲーム装置など）が含まれる。他の例には、通信装置（スマートフォンなどの携帯電話を含む）、及びメディア装置（レコーダと、エディタと、テレビ、セットトップボックス、音楽プレーヤ、デジタルフォトフレーム及びデジタルカメラのようなプレーヤとを含む）が含まれる。更に、電子システムは、入力装置に対するホストであってもよいし、スレーブであってもよい。
【００１０】
[0017]入力装置１００は、電子システム１５０の物理部分として実現されてもよく、電子システム１５０から物理的に分離されていてもよい。必要に応じて、入力装置１００は、バス、ネットワーク及び他の有線又は無線相互接続のいずれか１つ以上を使用して電子システムの一部と通信できる。この例には、インター集積回路（Ｉ２Ｃ）、シリアルペリフェラルインターフェース（ＳＰＩ）、パーソナルシステム２（ＰＳ／２）、ユニバーサルシリアルバス（ＵＳＢ）、Ｂｌｕｅｔｏｏｔｈ（登録商標）、無線周波数（ＲＦ）及び赤外線データ通信規格（ＩｒＤＡ）が含まれるが、これらに限定されない。
【００１１】
[0018]図１で、入力装置１００は、検出領域１２０内の１つ以上の入力オブジェクト１４０によって提供される入力を検出するように構成された近接センサデバイス（しばしば「タッチパッド」又は「タッチセンサデバイス」とも呼ばれる）として示される。図１に示されたように、例示的な入力オブジェクトは、指及びスタイラスを含む。
【００１２】
[0019]検出領域１２０は、入力装置１００の上、周り、中及び／又は近くに空間を含み、その空間内で、入力装置１００は、ユーザ入力（例えば、１つ以上の入力オブジェクト１４０によって提供されるユーザ入力）を検出できる。特定の検出領域のサイズ、形状及び位置は、実施形態により大きく異なりうる。幾つかの実施形態では、検出領域１２０は、信号対ノイズ比によって正確な物体検出が十分に妨げられるまで入力装置１００の表面から１つ以上の方向に空間内に拡張する。この検出領域１２０が特定方向に拡張する距離は、様々な実施形態で、およそ１ミリメートル未満、数ミリメートル、数センチメートル又はそれ以上であってもよく、使用される検出技術のタイプと必要精度により大きく異なりうる。したがって、幾つかの実施形態は、入力装置１００の表面との非接触、入力装置１００の入力面（例えば、タッチ面）との接触、ある量の印加力又は圧力で結合された入力装置１００の入力面との接触及び／又はこれらの組合せを含む入力を検出する。様々な実施形態で、入力面は、例えば、センサ電極が中に存在するケーシングの表面、センサ電極又は任意のケーシングの上に貼り付けられた表面板によって提供されうる。幾つかの実施形態では、検出領域１２０は、入力装置１００の入力面に投影されたとき矩形形状を有する。
【００１３】
[0020]入力装置１００は、センサ構成要素と検出技術の任意の組合せを利用して、検出領域１２０内のユーザ入力を検出できる。入力装置１００は、ユーザ入力を検出するための１つ以上の検出要素を含む。非限定的な例として、入力装置１００は、入力検出に容量技術を使用できる。
【００１４】
[0021]幾つかの実施態様は、一次元、二次元、三次元又はそれより高次元の空間にわたる画像を提供するように構成される。幾つかの実施態様は、特定の軸又は平面に沿った入力の投影を提供するように構成される。
【００１５】
[0022]入力装置１００の幾つかの容量実施態様では、電圧又は電流が印加されて電界が生成される。近くの入力オブジェクトによって、電界が変化し、電圧や電流などの変化として検出されうる容量結合の検出可能な変化が生じる。
【００１６】
[0023]幾つかの容量実施態様は、アレイ又は他の規則又は不規パターンの容量検出要素を利用して電界を生成する。幾つかの容量実施態様では、別個の検出要素がオーム的に短絡されてより大きいセンサ電極が構成されうる。幾つかの容量実施態様は、均一な抵抗でよい抵抗シートを利用する。
【００１７】
[0024]幾つかの容量実施態様は、センサ電極と入力オブジェクト間の容量結合の変化に基づく「自己キャパシタンス」（又は「絶対キャパシタンス」）検出方法を利用する。様々な実施形態では、センサ電極近くの入力オブジェクトは、センサ電極近くの電界を変化させ、従って測定容量結合が変化する。１つの実施態様では、絶対キャパシタンス検出方法は、センサ電極を基準電圧（例えば、系統接地）に対して変調することによって、またセンサ電極と入力オブジェクト間の容量結合を検出することによって作動する。
【００１８】
[0025]幾つかの容量実施態様は、センサ電極間の容量結合の変化に基づく「相互キャパシタンス」（又は「トランスキャパシタンス」）検出方法を利用する。様々な実施形態では、センサ電極近くの入力オブジェクトが、センサ電極間の電界を変化させ、したがって測定容量結合が変化する。１つの実施態様では、トランス容量検出方法が、１つ以上のトランスミッタセンサ電極（「トランスミッタ電極」又は「トランスミッタ」とも）と１つ以上のレシーバセンサ電極（「レシーバ電極」又は「レシーバ」とも）との間の容量結合を検出することによって機能する。トランスミッタ及びレシーバはまとめて、センサ電極又はセンサ要素と呼ばれうる。トランスミッタセンサ電極は、トランスミッタ信号を送信するために、基準電圧（例えば、系統接地）に対して変調される。レシーバセンサ電極は、結果信号の受信を容易にするために、基準電圧に対して実質的に一定に保持されうる。結果信号は、１つ以上のトランスミッタ信号及び／又は環境的干渉（例えば、他の電磁気信号）の１つ以上の発生源に対応する影響を含みうる。センサ電極は、専用トランスミッタ又はレシーバでもよく、送信及び受信の両方を行うように構成されてもよい。
【００１９】
[0026]幾つかの実施形態では、１つ以上のレシーバ電極は、トランスミッタ電極が送信していない（例えば、トランスミッタが使用不能にされるか、トランスミッタ信号がどのセンサ電極上でも駆動されていない）とき、結果信号を受信するように作動されうる。このように、結果信号は、検出領域１２０の動作環境で検出されたノイズを表わす。このように、幾つかの実施形態では、結果信号は、検出領域１２０の動作環境で検出されるノイズを表わす。例えば、近く又は同じ場所に配置される（例えば、重なっている）表示装置の表示ノイズは、トランス容量検出の際に受信される結果信号で表わされうる。後で更に詳しく述べるように、様々な実施形態では、センサ電極の組合せ又は／又はセンサ電極とサイド電極の組合せが、短絡され入力チャネルと結合され、それにより、多数の短絡電極が受けるノイズの合計が、短絡電極が結合された入力チャネルによって同時に測定される。
【００２０】
[0027]図１で、処理システム１１０は、入力装置１００の一部として示される。処理システム１１０は、入力装置１００のハードウェアを作動させて検出領域１２０の入力を検出するように構成される。処理システム１１０は、１つ以上の集積回路（ＩＣ）及び／又は他の回路構成要素の一部又は全てを含む。（例えば、相互キャパシタンス（即ち、トランス容量性）センサデバイスの処理システムは、トランスミッタセンサ電極によって信号を送信するように構成されたトランスミッタ回路及び／又はレシーバセンサ電極によって信号を受信するように構成されたレシーバ回路を含みうる。幾つかの実施形態では、処理システム１１０は、また、ファームウェアコード、ソフトウェアコードなどの電子的可読命令を含む。幾つかの実施形態では、処理システム１１０を構成する構成要素は、入力装置１００の検出要素近くなどと共に配置される。他の実施形態では、処理システム１１０の構成要素は、入力装置１００の検出要素に近い１つ以上の構成要素及び他の場所にある１つ以上の構成要素と物理的に別である。例えば、入力装置１００は、デスクトップコンピュータに結合された周辺装置でよく、処理システム１１０は、デスクトップコンピュータの中央処理装置及び中央処理装置と別の１つ以上のＩＣ（多くの場合関連ファームウェアを有する）上で動作するように構成されたソフトウェアを含みうる。別の例として、入力装置１００は、電話内に物理的に組み込まれてもよく、処理システム１１０は、電話の主処理装置の一部である回路とファームウェアを含みうる。幾つかの実施形態では、処理システム１１０は、入力装置１００の実現に専用化される。他の実施形態では、処理システム１１０は、また、表示画面の動作や触覚アクチュエータの駆動などの他の機能を実行する。
【００２１】
[0028]処理システム１１０は、処理システム１１０の様々な機能を処理する１組のモジュールとして実現されうる。各モジュールは、処理システム１１０、ファームウェア、ソフトウェア又はこれらの組合せの一部の回路を含みうる。様々な実施形態では、モジュールの様々な組合せが使用されうる。例示的モジュールには、センサ電極や表示画面などのハードウェアを動作させるためのハードウェア動作モジュール、センサ信号や位置情報などのデータを処理するためのデータ処理モジュール及び情報を報告するための報告モジュールが含まれる。更に他の例示的モジュールには、検出要素又は他の構造物を動作させて入力を検出するように構成された検出モジュールと、検出された任意の入力オブジェクトの位置を決定するように構成された決定モジュールが含まれる。例えば、検出モジュールは、絶対容量検出及びトランス容量検出の１つ以上を実行して入力を検出でき、決定モジュールは、検出された静電容量又はその変更に基づいて入力の位置を決定できる。幾つかの実施形態では、他のモジュール又は機能が処理システム１１０に含まれてもよく、識別モジュールが検出された入力からのジェスチャを識別するために含まれ構成されうる。
【００２２】
[0029]幾つかの実施形態では、処理システム１１０は、１つ以上の動作を引き起こすことによって、検出領域１２０内のユーザ入力（又は、ユーザ入力がないこと）に直接応答する。例示的なアクションには、動作モードの変更、カーソル運動、選択、メニューナビゲーション及び他の関数などのグラフィックユーザインタフェース（ＧＵＩ）動作が含まれる。幾つかの実施形態では、処理システム１１０は、電子システムのある部品（例えば、別個の中央処理システムが存在する場合、処理システム１１０と別の電子システムの中央処理システム）に対する入力（又は入力がないこと）に関する情報を提供する。幾つかの実施形態では、電子システムのある部分は、処理システム１１０から受け取った情報を処理して、ユーザ入力を処理し、例えば、モード変更動作及びＧＵＩ動作を含む全範囲の動作を容易にする。
【００２３】
[0030]例えば、幾つかの実施形態では、処理システム１１０は、入力装置１００の検出要素を作動させて、検出領域１２０内の入力（又は、入力がないこと）を示す電気信号を生成する。処理システム１１０は、電子システムに提供される情報を生成する際に、電気信号に対して任意の適切な量の処理を実行できる。例えば、処理システム１１０は、センサ電極から得られたアナログ電気信号をデジタル化できる。別の例として、処理システム１１０は、フィルタリング又は他の信号調整を実行できる。更に別の例として、処理システム１１０は、情報が電気信号とベースラインとの差を反映するように、ベースラインを減算するか他の方法で考慮できる。更に他の例として、処理システム１１０は、例えば、位置情報を決定し、入力をコマンドとして認識し、手書きを認識できる。
【００２４】
[0031]「位置情報」は、本明細書で使用されるとき、絶対位置、相対位置、速度、加速度及び他のタイプの空間情報を含む。一例として、「ゼロ次元」位置情報は、近／遠又は接触／非接触情報を含む。別の例として、「一次元」位置情報は、軸に沿った位置を含む。更に別の例として、「二次元」位置情報は、平面内の運動を含む。更に別の例として、「三次元」位置情報は、空間内の瞬間又は平均速度を含む。更に他の例は、空間情報の他の表現を含む。また、例えば、ある期間にわたる位置、運動又は瞬間速度を追跡する履歴データを含む、１つ以上のタイプの位置情報に関する履歴データが、決定されかつ／又は記憶されうる。
【００２５】
[0032]幾つかの実施形態では、入力装置１００は、処理システム１１０又は他の処理システムによって作動される追加の入力構成要素によって実現される。これらの追加の入力構成要素は、検出領域１２０内の入力のための冗長機能又は他の機能を提供できる。図１は、入力装置１００を使用してアイテムの選択を容易にするために使用できる検出領域１２０近くのボタン１３０を示す。他のタイプの追加の入力構成要素には、スライダ、ボール、ホイール、スイッチなどが含まれる。逆に、幾つかの実施形態では、入力装置１００は、他の入力構成要素なしに実現されてもよい。
【００２６】
[0033]幾つかの実施形態では、入力装置１００は、タッチスクリーンでよく、検出領域１２０は、表示画面の能動領域の少なくとも一部と重なる。例えば、入力装置１００は、表示画面を覆う実質的に透明なセンサ電極を含み、関連電子システム１５０のためのタッチスクリーンインタフェースを提供できる。表示画面は、ユーザに視覚的インタフェースを表示できる任意のタイプの動的表示装置でよく、任意のタイプの発光ダイオード（ＬＥＤ）、有機ＬＥＤ（ＯＬＥＤ）、陰極線管（ＣＲＴ）、液晶ディスプレイ（ＬＣＤ）、プラズマ、エレクトロルミネセンス（ＥＬ）又は他の表示技術を含みうる。入力装置１００と表示画面は、物理要素を共有できる。例えば、幾つかの実施形態は、表示と検出に同じ電気構成要素の幾つかを利用できる。別の例として、表示画面は、処理システム１１０によって一部又は全体的に作動されうる。
【００２７】
[0034]多くの実施形態について完全機能装置の文脈で述べたが、このメカニズムを様々な形態でプログラム製品（例えば、ソフトウェア）として配布できることを理解されたい。例えば、言及されたメカニズムは、電子プロセッサによって読取り可能な情報担持媒体（例えば、処理システム１１０によって読み取り可能な非一時的コンピュータ可読及び／又は記録可能／書込可能情報担持媒体）上のソフトウェアプログラムとして実現され配布されうる。更に、実施形態は、配布するために使用される特定タイプの媒体にかかわらず等しく適用される。非一時的電子的可読媒体の例には、様々なディスク、メモリスティック、メモリカード、メモリモジュールなどが含まれる。電子的可読媒体は、フラッシュ、光、磁気、ホログラフィ又は他の非一時的記憶技術に基づきうる。
【００２８】
例示的なセンサ電極パターン
[0035]図２Ａは、様々な実施形態による、入力装置１００の検出領域の全て又は一部を生成するためにセンサ内で利用されうる例示的センサ電極パターン２００の一部を示す。入力装置１００は、容量センサ電極パターンと共に利用されるときに容量検出入力装置として構成される。例示及び説明を分かりやすくするために、非限定的な単純矩形センサ電極パターン２００を示す。実際には、センサ電極パターン２００で示されたものより多数又は少数のセンサ電極を利用できることを理解されたい。また、多数の他のセンサ電極パターンが、本明細書で述べる技術と共に使用されてもよく、そのようなセンサ電極パターンには、単一センサ電極を有するパターン、単一組のセンサ電極を有するパターン、単一層内に配置された２組のセンサ電極を有するパターン（重なることなく）、センサ電極間の重なり領域でジャンパを使用する単一層に配置された２組のセンサ電極を有するパターン、円形検出領域内のパターン、共通電圧（ＶＣＯＭ）電極の１つ以上のセグメントなどの表示装置の１つ以上の表示電極を利用するパターン、ソース電極、ゲート電極、陽極電極及び陰極電極の１つ以上を有するパターン並びに個別のボタン電極を提供するパターンが含まれるが、これらに限定されないことを理解されたい。
【００２９】
[0036]図示されたセンサ電極パターン２００は、この例では、互いに重なる第１の複数のセンサ電極２７０（２７０−０、２７０−１、２７０−２、２７０−３、２７０−４、２７０−５）と、第２の複数のセンサ電極２６０（２６０−０、２６０−１、２６０−２、２６０−３、２６０−４、２６０−５、２６０−６、２６０−７、２６０−８、２６０−９、２６０−１０及び２６０−１１）とで構成される。図で分かるように、センサ電極２６０は、１対の実質的に直角に配置された軸のうちの第１の軸に沿って配置され、この第１の軸は、センサ電極２７０が配置された第２の実質的に直交する軸（１対の軸のうちの）よりも多数のセンサ電極を有する。図示されるように、センサ電極は、グループ１のセンサ電極２６０−０〜２６０−５、グループ２のセンサ電極２６０−６〜２６０−１１及びグループ３のセンサ電極２７０−０〜２７０−５の３つのグループに分かれる。多くの実施形態では、処理システム１１０は、第１の複数のセンサ電極２７０をトランスミッタ信号で駆動することによってトランスミッタ電極として作動させ、第２の複数のセンサ電極２６０を結果信号と共に受信することによってレシーバ電極として作動させるように構成される。他の実施形態は、センサ電極２６０と２７０の役割を逆にできる。図示された例では、検出画素は、トランスミッタとレシーバの電極が交差する位置に中心に配置される。容量画素２９０は、トランス容量検出の際にセンサ電極パターン２００によって生成された容量画素のうちの１つを示す。示された例のような交差センサ電極パターンでは、典型的には、トランスミッタ電極２７０とレシーバ電極２６０の間に、なんらかの形態の絶縁材料又は基板が配置されることを理解されたい。しかしながら、幾つかの実施形態では、トランスミッタ電極２７０とレシーバ電極２６０は、ルーティング技術及び／又はジャンパの使用によって互いに同じ層上に配置されうる。様々な実施形態では、タッチ検出は、検出領域１２０内のどこかにある入力オブジェクトの検出を含み、入力装置１００の表面との非接触、入力装置１００の入力面（例えば、タッチ面）との接触、ある大きさの印加力又は圧力と結合された入力装置１００の入力面との接触及び／又はこれらの組合せを含みうる。
【００３０】
[0037]トランス容量測定を行うとき、容量画素２９０などの容量画素は、トランスミッタ電極２７０とレシーバ電極２６０の間の局所的容量結合の領域である。トランスミッタ電極２７０とレシーバ電極２６０間の容量結合は、トランスミッタ電極２７０及びレシーバ電極２６０に関連付けられた検出領域内の入力オブジェクトの接近と運動により変化する。
【００３１】
[0038]幾つかの実施形態では、そのような容量結合を決定するために、センサ電極パターン２００が「走査」される。即ち、トランスミッタ電極２７０は、トランスミッタ信号を送信するために駆動される。トランスミッタは、１つのトランスミッタ電極が一度に送信するか、多数のトランスミッタ電極が同時に送信するように作動されうる。多数のトランスミッタ電極が同時に送信する場合、それらの多数のトランスミッタ電極が、同じトランスミッタ信号を送信し、実質的により大きいトランスミッタ電極を作成してもよく、これらの多数のトランスミッタ電極が、異なるトランスミッタ信号を送信してもよい。例えば、多数のトランスミッタ電極は、レシーバ電極２６０の結果信号に対する複合作用を個別に決定可能にする１つ以上の符号体系に従って、様々なトランスミッタ信号を送信できる。
【００３２】
[0039]レシーバ電極２６０は、単独又は複合的に作動されて結果信号が取得されうる。結果信号は、トランスミッタ電極２７０とレシーバ電極２６０が交差又は相互作用する容量画素における容量結合の測定値を決定してトランスキャパシタンスを測定するために使用されうる。
【００３３】
[0040]容量画素からの１組の測定値は、画素における容量結合を表す「容量画像」（「容量フレーム」ともいう）を構成する。多数の容量画像が、多数の期間にわたって取得され、それらの間の差が使用されて、検出領域内の入力に関する情報が得られる。例えば、連続期間にわたって取得された連続する容量画像を使用して、検出領域に入る入力オブジェクト、検出領域から出る入力オブジェクト及び検出領域の中の１つ以上の入力オブジェクトの動きを追跡できる。
【００３４】
[0041]幾つかの実施形態では、１つ以上のセンサ電極２６０又は２７０は、特定の瞬間における絶対容量検出を行うように作動されうる。例えば、センサ電極２７０−０が充電され、次にセンサ電極２７０−０の静電容量が測定されうる。そのような一実施形態では、センサ電極２７０−０と相互作用する入力オブジェクト１４０が、センサ電極２７０−０近くの電界を変化させ、したがって測定容量結合が変化する。これと同様に、複数のセンサ電極２７０を使用して絶対キャパシタンスを測定でき、かつ／又は複数のセンサ電極２６０を使用して絶対キャパシタンスを測定できる。絶対キャパシタンス測定を行うとき、「レシーバ電極」と「トランスミッタ電極」のラベルは、それらがトランス容量測定技術において有する意義を失い、その代わりに、センサ電極２６０又は２７０が、単に「センサ電極」と呼ばれることもあり、絶対容量検出の際に同様に使用される場合でもその名称をトランスミッタ電極又はレシーバ電極として使い続けることもあることを理解されたい。
【００３５】
[0042]バックグラウンドキャパシタンスＣＢは、センサパターンの容量画像、又はセンサ電極パターンの検出領域内に入力オブジェクトがない状態でセンサ電極上で測定された絶対キャパシタンスである。バックグラウンドキャパシタンスは、環境条件及び動作条件で変化する。
【００３６】
[0043]センサデバイスのバックグラウンドキャパシタンスの容量画像及び絶対キャパシタンス測定値は、より効率的に処理するために調整されうる。例えば、絶対容量測定に存在することが分かっているある量のベースラインラインキャパシタンスを控除／オフセットするために、ＡＳＩＣ／処理システムの内部及び／又外部で様々な技術が使用されうる。絶対容量検出では、そのような電荷オフセットは、ベースライン絶対キャパシタンス信号測定上に入力オブジェクト関連成分を含む信号を増幅するために使用されるＡＳＩＣ／処理システムの増幅器のダイナミックレンジを改善する。この理由は、ベースライン部分の一部が内部オフセットによって除去される場合、入力オブジェクトの存在に帰する信号の成分がより大きく増幅されうるからである（増幅器飽和なしに）。
【００３７】
[0044]ベースライン電荷の内部オフセット（ＡＳＩＣ／処理システムの内部）の多数の技術が、当該技術分野で知られており、オフセットキャパシタンスを増幅器のフィードバックキャパシタと並列に利用し、かつ／又は絶対キャパシタンスを測定しているセンサにも結合された増幅器の入力に電荷を注入することを含む。
【００３８】
[0045]幾つかの実施形態では、本明細書の技術を使用して、検出装置の検出領域内のセンサとの間で検出信号を結合するために使用されるルーティングトレースを含むプリント回路（例えば、フレキシブルプリント回路、プリント回路基板、リソグラフィプリント回路又は他のタイプのプリント回路）の１つ以上の部分を使用して、絶対容量検出中に測定されたベースラインラインキャパシタンスの一部の量をオフセットできる。このタイプの電荷オフセットは、ＡＳＩＣ／処理システムの外部で行われる。本明細書に記述された外部電荷オフセット技術のいずれも単独で利用でき、１つ以上の内部電荷オフセット技術と組合せで使用できることを理解されたい。
【００３９】
[0046]図２Ｂは、幾つかの実施形態による、幾つかの関連した例示的サイド電極２８０（２８０−０と２８０−１）を、図２Ａの例示的センサ電極パターン２００と共に示す。サイド電極２８０は、センサ電極パターン２００及びその検出領域の外側にあるセンサ電極の例である。様々な実施形態では、２８０−０又は２８０−１などのサイド電極は、容量検出に使用されない接地電極、ガード電極、遮蔽電極又は他の電極でよい。２８０−０や２８０−１などのサイド電極は、また、（例えば、電子装置のグリップエッジ上に）センサ電極パターン２００から離れて配置されたボタン、スライダ又は他の容量センサと関連付けられた容量検出電極でよい。幾つかの実施形態では、サイド電極２８０は、ユーザが装置を把持できる装置の側に配置されうる。他の実施形態では、サイド電極２８０は、装置上のどこか他の場所に配置されてもよいが、検出領域１２０を含むセンサ電極とは異なる領域内に配置されうる。本明細書で記述されるように、幾つかの実施形態では、１つ以上のサイド電極２８０が、処理システム１００の入力チャネルに結合され、センサ電極パターン２００などの容量検出パターン近くでノイズの測定に利用されうる。更に、幾つかの実施形態では、サイド電極２８０−０及び２８０−１は、それぞれ多数のセンサ電極を含みうる。
【００４０】
例示的な処理システム
[0047]図３は、様々な実施形態によれば、（例えば、入力装置１００の一部として処理システム１１０の代わりに）入力装置と共に利用されうる例示的な処理システム１１０Ａの幾つかの構成要素のブロック図を示す。本明細書で述べるように、入力装置１００は、容量検出入力装置である。処理システム１１０Ａは、１つ以上の特定用途向け集積回路（ＡＳＩＣＳ）、１つ以上の集積回路（ＩＣ）、１つ以上のコントローラ又はこれらの組合せで実現されうる。一実施形態では、処理システム１１０Ａは、入力装置１００の検出領域１２０を実現する１つ以上のトランスミッタ電極及びレシーバ電極と通信可能に接続される。幾つかの実施形態では、処理システム１１０Ａ及びその一部分である入力装置１００は、表示装置、コンピュータ又は他の電子システムなどの電子システム１５０内に配置されるか又は電子システム１５０と通信可能に接続されうる。
【００４１】
[0048]一実施形態では、処理システム１１０Ａは、他の構成要素の中でも特に、マージャモジュール３０５、検出モジュール３１０及び決定モジュール３２０を含む。処理システム１１０Ａ及び／又はその構成要素は、例えば、特に、センサ電極パターン２００などのセンサ電極パターンのセンサ電極と結合されうる。
【００４２】
[0049]様々な実施形態では、マージャモジュール３０５は、センサ電極及び／又は他の電極を処理システム１１０Ａの入力チャネルに選択的に結合するように構成される。入力検出中、マージャモジュール３０５は、幾つかの実施形態では、単一センサ電極だけ（例えば、センサ電極２６０又は２７０）を処理システム１１０Ａの任意の入力チャネルに選択的に結合するように動作する。ノイズ測定中、マージャモジュール３０５は、様々な方法で動作でき、即ち、単一センサ電極だけ（例えば、センサ電極２６０又は２７０）を処理システム１１０Ａの入力チャネルに選択的に結合し、複数のセンサ電極（例えば、センサ電極２６０及び／又は２７０）を処理システム１１０Ａの入力チャネルに選択的に結合し（即ち、一体化し）、及び／又はセンサ電極、サイド電極（例えば、センサ電極２６０及び／又は２７０及びサイド電極２８０）又は他の電極の組合せを処理システム１１０Ａの入力チャネルに選択的に結合する（即ち、一体化する）ように動作できる。例えば、ノイズ測定中、マージャモジュール３０５は、電流の測定値を取得するための第１の構成で（即ち、どのセンサ電極でも信号が送信されていないときのノイズ測定のため）、第１の複数のセンサ電極を処理システム１１０Ａの入力チャネルに結合できる。次に、マージャモジュール３０５は、容量結果信号を取得するための第２の構成で（即ち、入力オブジェクト検出のため）、第１の複数のセンサ電極の少なくとも１つのサブセットを同じ入力チャネルに結合できる。幾つかの実施形態では、マージャモジュール３０５は、少なくともレシーバ及びトランスミッタ電極の組合せを選択的に結合できる。
【００４３】
[0050]様々な実施形態では、検出モジュール３１０は、複数の入力チャネル（例えば、図４Ａ〜図４Ｃの入力チャネル４１５を参照）と、センサ電極パターンに信号を提供しセンサ電極パターンから入力を受け取るためのセンサ回路とを備える。検出モジュール３１０は、検出領域１２０を生成するために利用される（センサ電極パターンの）センサ電極と相互作用するように動作する。これは、第１の複数のセンサ電極（例えば、センサ電極２６０）をサイレントにさせ、トランスミッタ信号で駆動し、トランス容量検出に使用し、かつ／又は絶対容量検出に使用するように動作させることを含む。これは、また、第２の複数のセンサ電極（例えば、センサ電極２７０）をサイレントにさせ、トランスミッタ信号で駆動し、トランス容量検出に使用し、かつ／又は絶対容量検出に使用するように動作させることを含む。検出モジュール３１０は、また、検出モジュール３１０が結合されるセンサ電極パターンを含む入力装置内の１つ以上のサイド電極と相互作用できる。幾つかの実施形態では、マージャモジュール３０５は、容量検出のためではなくノイズ検出のために電極を一体化できる。
【００４４】
[0051]検出モジュール３１０は、容量検出装置（例えば、入力装置１００）のセンサ電極パターン（例えば、センサ電極パターン２００）の第１の複数のセンサ電極を作動させることによって電流測定値を取得してノイズ信号を受信するように構成される。センサ電極パターンの環境でノイズ信号を受信するため、検出モジュール３１０は、センサ電極パターンのどのセンサ電極でも信号を送信せず、代わりに、センサ電極パターンの１つ以上の選択されたセンサ電極を、センサ電極の環境でノイズを受信するかノイズに結合するアンテナとして有効に利用する。ノイズは、結果信号を測定して静電容量の変化を検出するために検出モジュール３１０によって利用される同じ回路によって測定されうるセンサ電極上に電流を誘導する。並列電流が互いに合算されるので、検出モジュール３１０の１つ以上の入力チャネル上でノイズ信号を受信している期間中、１つ以上のセンサ電極及び／又はサイド電極を単一入力チャネルに一体化できる。幾つかの実施形態では、この期間は、約１マイクロ秒でよいが、０．２５マイクロ秒のようにもっと短くてもよく、７マイクロ秒のようにもっと長くてもよい。ノイズ信号の受信とは異なる期間中に、検出モジュール３１０は、容量検出のためにセンサ電極パターンの１つ以上のセンサ電極を作動させることによって、容量結果信号を取得する。容量結果信号の取得については更に後で詳述される。
【００４５】
[0052]検出モジュール３１０は、入力装置の複数のセンサ電極のうちの第１のセンサ電極によって送信し、複数のセンサ電極のうちの第２のセンサ電極によって受信することによって、トランス容量結果信号を取得するように構成される。トランス容量検出中に、検出モジュール３１０は、第１の複数のセンサ電極のうちの１つ以上のセンサ電極（例えば、トランスミッタ電極２７０の１つ以上）でトランスミッタ信号を駆動する（即ち、送信する）働きをする。トランスミッタ信号は、矩形波、台形波又は他の波形でよい。所定の時間間隔で、検出モジュール３１０は、複数のセンサ電極のうちの１つ以上でトランスミッタ信号（波形）を駆動する場合もしない場合もある。また、そのようなセンサ電極でトランスミッタ信号を駆動しないとき、検出モジュール３１０は、第１の複数のセンサ電極の１つ以上を高インピーダンス、接地、入力チャネル、又は定電圧に結合するために利用されうる。幾つかの実施形態では、トランス容量検出を行うとき、検出モジュール３１０は、センサ電極パターンの２つ以上のトランスミッタ電極を一度に駆動する。センサ電極パターンの複数のセンサ電極を一度に駆動するとき、トランスミッタ信号は、符号に従って符号化されうる。ノイズ回避又は他の理由のため、符号は変更されてもよく、例えば符号は延長又は短縮される。検出モジュール３１０は、また、トランス容量検出中に第２の複数のセンサ電極（例えば、レシーバ電極２６０の１つ以上）によって結果信号を受信するように動作する。トランス容量検出中、受信された結果信号は、第１の複数のセンサ電極を介して送信されたトランスミッタ信号に対応するか、その送信信号に対応する影響を含む。これらの送信されたトランスミッタ信号は、他の要因の中でも特に、入力オブジェクトの存在、漂遊容量、ノイズ、干渉及び／又は回路欠陥によって結果信号が変更又は変化し、したがって、その送信されたものから僅か又は大きく異なることがある。同様に、検出モジュール３１０が、センサ電極２６０のうちの１つ以上でトランスミッタ信号を送信し、センサ電極２７０のうちの１つ以上で対応する結果信号を受信できることを理解されたい。
【００４６】
[0053]絶対容量検出の際、センサ電極は、センサ電極に送られた信号から生じる結果信号を受信するように駆動されかつ使用される。このようにして、絶対容量検出中、検出モジュール３１０は、信号をセンサ電極２６０又は２７０の１つ以上に駆動し（即ち、送信し）またそこから受け取るように動作する。絶対容量検出中、駆動された信号は、絶対容量検出信号、トランスミッタ信号又は変調信号と呼ばれることがあり、処理システム１１０Ａと、絶対容量検出が行われているセンサ電極との間で通信結合を提供するルーティングトレース内で駆動される。
【００４７】
[0054]様々な実施形態では、検出モジュール３１０は、１つ以上の増幅器を含む。そのような増幅器は、「増幅器」、「フロントエンド増幅器」、「レシーバ」、「積分増幅器」、「差動増幅器」などに置き換えて呼ばれることがあり、結果信号を入力で受け取り、積分電圧を出力として提供するように動作する。結果信号は、センサ電極パターン２００などのセンサ電極パターンの１つ以上のセンサ電極からのものである。単一増幅器が、単一センサ電極から独占的に結果信号を受信するように結合され使用されてもよく、増幅器と同時に結合された多数のセンサ電極から信号を受信してもよく、増幅器に１つずつ結合された複数のセンサ電極から信号を受信してもよい。検出モジュール３１０は、これらの方式のいずれかで利用される多数の増幅器を含みうる。例えば、幾つかの実施形態では、第１の増幅器が第１のセンサ電極と結合され、第２の増幅器が第２のセンサ電極と結合されうる。
【００４８】
[0055]決定モジュール３２０は、ハードウェア（例えば、ハードウェアロジック及び／又は他の回路）及び／又はハードウェアとコンピュータ可読記憶媒体に非一時的に記憶された命令の組み合わせとして実現されうる。
【００４９】
[0056]決定モジュール３２０は、ノイズ測定中に検出モジュール３１０によって取得された電流測定値の分析によって、容量検出入力装置（例えば、入力装置１００）のノイズ環境を決定するように構成される。例えば、電流レベルが高いほどノイズ環境が高い。処理システム１１０Ａのロジックは、測定電流レベルが、高ノイズ環境を示すプリセットしきい値を超えたとき、検出モジュール３１０によって実行される容量検出の様相を調整できる。例えば、入力オブジェクトの検出に対するノイズの影響を回避するために容量検出周波数（駆動トランスミッタ信号の）を１回又はもっと頻繁に変更してもよく、検出をトランス容量検出から絶対容量検出に変更してもよく、かつ／又は追加のノイズ検出及び特性決定を使用してもよい。処理システム１１０Ａのロジックは、追加又は代替として、決定モジュール３２０内で、測定電流が、高ノイズ環境を示すプリセットしきい値を超えたときに受信結果信号に追加の処理及び／又はフィルタリングを行うアルゴリズムを実行できる。例えば、ファームウェアノイズ緩和技術が有効にされ、ノイズ状態機械の一部として実行されうる。例示的実施形態では、ノイズ状態機械は、特定のしきい値を満たす干渉メトリックに応じて、入力チャネル４１５を高ノイズモードで動作するように構成できる。高ノイズモードでは、検出サイクルを延長でき（即ち、結果信号のより長い積分）、取得バーストの長さを増大でき（即ち、より多くの検出サイクルからの各測定値を組み合わせる）、及び／又は決定モジュール３２０が、測定値に基づいて１つ以上のノイズ緩和アルゴリズムを呼び出しうる。干渉メトリックに基づいて、他のタイプの既知のノイズ緩和技術を使用できる。別の例では、決定モジュール３２０のノイズ状態機械は、分光分析をトリガして、特定のしきい値を満たす干渉メトリックに応じて新しい検出周波数を識別できる。
【００５０】
[0057]更に後で詳述されるように、決定モジュール３２０は、また、受信した容量結果信号に基づいて、容量検出入力装置（例えば、装置１００）の検出領域内の入力オブジェクトの位置情報を決定するように構成される。
【００５１】
[0058]決定モジュール３２０は、トランス容量検出中に第１及び第２のセンサ電極間のトランス容量結合の変化の測定値を計算／決定するように動作する。次に、決定モジュール３２０は、そのような測定値を使用して、検出領域１２０に対する入力オブジェクト（もしある場合）の位置を含む位置情報を決定する。位置情報は、トランス容量画像から決定されうる。トランス容量画像は、検出モジュール３１０によって取得された結果信号に基づいて、決定モジュール３２０によって決定される。結果信号は、検出領域１２０に対する入力を表す容量画素として使用されるか、その容量画素を構成する。決定モジュール３２０が、符号化された結果信号を復号又は再組み立てして、複数のセンサ電極のトランス容量走査からトランス容量画像を構成する働きをすることを理解されたい。
【００５２】
[0059]絶対容量検出がセンサ電極２６０及び／又は２７０によって実行される実施形態では、決定モジュール３２０は、また、センサ電極に対する絶対容量結合の測定値を計算／決定する働きをする。例えば、決定モジュール３２０は、検出信号がセンサ電極上で駆動された後、センサ電極（例えば、センサ電極２７０−０）の絶対キャパシタンスを決定する働きをする。幾つかの実施形態では、処理システム１１０Ａが、検出領域の少なくとも２つの異なる軸に沿って測定された絶対容量プロファイルを組み合わせることによって（例えば、乗算、加算又は他の手段によって）、絶対容量画像を計算できることに留意されたい。例として図２Ａを参照すると、幾つかの実施形態では、決定モジュール３２０は、センサ電極２６０によって取得された第１の絶対容量プロファイルを、センサ電極２７０によって取得された第２の絶対容量プロファイルと組み合わせることによって絶対容量画像を作成する。次に、決定モジュール３２０は、そのような測定値を使用して、検出領域１２０に対する入力オブジェクト（もしある場合）の位置を含む位置情報を決定する。位置情報は、例えば、絶対容量画像又は絶対容量プロファイルから決定されうる。
【００５３】
[0060]幾つかの実施形態では、決定モジュール３２０は、検出領域１２０に対する入力オブジェクトの位置を決定する際に、絶対容量検出及びトランス容量検出の両方から得られた測定値（即ち、結果信号）を利用できる（これらのタイプの容量検出の一方のタイプだけからの測定値を使用する代わりに）。これは、ハイブリッド容量検出と呼ばれることがある。次に、決定モジュール３２０は、そのような測定値を使用して、検出領域１２０に対する入力オブジェクト（もしある場合）の位置を含む位置情報を決定する。位置情報は、ハイブリッド容量画像から決定されうる。
【００５４】
[0061]幾つかの実施形態では、処理システム１１０Ａは、マージャモジュール３０５、検出モジュール３１０及び／又は決定モジュール３２０などの処理システム１１０Ａの１つ以上の部分に指示して、様々な入力に基づいて複数の異なる動作モードのうちの選択された１つの動作モードで動作させる意志決定ロジックを含む。
【００５５】
[0062]図４Ａは、様々な実施形態により、センサ電極パターン２００を処理システムの入力チャネル４１５（４１５−０、４１５−１、４１５−２、４１５−３、４１５−４、４１５−５）と結合するように構成された処理システム１１０Ａのマージャモジュール３０５Ａのブロック図を示す。
【００５６】
[0063]図２Ａと図４Ａを参照すると、少なくとも１つのノイズ測定期間中、マージャモジュール３０５Ａは、ノイズ測定用の電流を取得するための第１の構成において、第１の複数のセンサ電極（例えば、センサ電極２６０）を検出モジュール３１０の１つ以上の入力チャネル４１５に結合する。この第１の構成を実現するため、マージャモジュール３０５Ａは、スイッチＳＷ０及びＳＷ１を閉じてセンサ電極２６０−０及び２６０−６をそれぞれ一体化して同時に入力チャネル４１５−０と結合し、スイッチＳＷ２及びＳＷ３を閉じてセンサ電極２６０−１及び２６０−７をそれぞれ一体化して同時に入力チャネル４１５−１と結合し、スイッチＳＷ４及びＳＷ５を閉じてセンサ電極２６０−２及び２６０−８をそれぞれ一体化して同時に入力チャネル４１５−２と結合し、スイッチＳＷ６及びＳＷ７を閉じてセンサ電極２６０−３及び２６０−９をそれぞれ一体化して同時に入力チャネル４１５−３と結合し、スイッチＳＷ８及びＳＷ９を閉じてセンサ電極２６０−４及び２６０−１０をそれぞれ一体化して同時に入力チャネル４１５−４と結合し、スイッチＳＷ１０及びＳＷ１１を閉じてセンサ電極２６０−５及び２６０−１１をそれぞれ一体化して同時に入力チャネル４１５−５と結合する。このようにして、グループ１及び２からのセンサ電極が一体化され、それにより、ノイズ測定中に一度に１つのセンサ電極だけが入力チャネルに結合されている場合に２つのノイズ検出期間を利用するのではなく、単一ノイズ測定期間中にグループ１とグループ２からの全てのセンサ電極で電流を測定できる。
【００５７】
[0064]引き続き図２Ａ及び図４Ａを参照すると、幾つかの実施形態では、第１のキャパシタンス測定期間中、マージャモジュール３０５Ａが、容量結果信号を取得するための第２の構成において、第１の複数のセンサ電極（例えば、センサ電極２６０）の第１のサブセットを入力チャネル４１５に結合する。これを実現するため、マージャモジュール３０５Ａは、ＳＷ０を閉じＳＷ１を開いてセンサ電極２６０−０を入力チャネル４１５−０に結合し、ＳＷ２を閉じてＳＷ３を開いてセンサ電極２６０−１を入力チャネル４１５−１と結合し、ＳＷ４を閉じＳＷ５を開いてセンサ電極２６０−２を入力チャネル４１５−２に結合し、ＳＷ６を閉じＳＷ７を開いてセンサ電極２６０−３を入力チャネル４１５−３と結合し、ＳＷ８を閉じＳＷ９を開いてセンサ電極２６０−４を入力チャネル４１５−４と結合し、ＳＷ１０を閉じＳＷ１１を開いてセンサ電極２６０−５を入力チャネル４１５−５と結合する。このようにして、グループ１からのセンサ電極がそれぞれ個々に単一入力チャネルと結合され、それにより、単一キャパシタンス測定期間中にグループ１の全てのセンサ電極から結果信号を取得できる。結果信号は、絶対容量検出とトランス容量検出のうちの１つ以上の結果でよい。この第１のキャパシタンス測定期間中に取得された結果信号は、決定モジュール３２０によって利用されて、容量検出入力装置１００の検出領域（センサ電極パターン２００と関連した）内の入力オブジェクトの位置情報が決定される。
【００５８】
[0065]引き続き図２Ａ及び図４Ａを参照すると、幾つかの実施形態では、第１のキャパシタンス測定期間と重ならない第２のキャパシタンス測定期間中に、マージャモジュール３０５Ａは、容量結果信号を取得するための第３の構成において、第１の複数のセンサ電極の第２のサブセット（例えば、センサ電極２６０）を入力チャネル４１５に結合する。一実施形態では、第２及び第３の構成に共通センサ電極がない。これを実現するために、マージャモジュール３０５Ａは、ＳＷ１を閉じＳＷ０を開いてセンサ電極２６０−６を入力チャネル４１５−０と結合し、ＳＷ３を閉じＳＷ２を開いてセンサ電極２６０−７を入力チャネル４１５−１と結合し、ＳＷ５を閉じＳＷ４を開いてセンサ電極２６０−８を入力チャネル４１５−２と結合し、ＳＷ７を閉じＳＷ６を開いてセンサ電極２６０−９を入力チャネル４１５−３と結合し、ＳＷ９を閉じＳＷ８を開いてセンサ電極２６０−１０を入力チャネル４１５−４と結合し、ＳＷ１１を閉じＳＷ１０を開いてセンサ電極２６０−１１を入力チャネル４１５−５と結合する。このようにして、グループ２からのセンサ電極をそれぞれ個々に単一入力チャネルと結合して、単一キャパシタンス測定期間中にグループ２の全てのセンサ電極から結果信号を取得できる。結果信号は、絶対容量検出とトランス容量検出のうちの１つ以上の結果でよい。この第２のキャパシタンス測定期間中に取得された結果信号は、決定モジュール３２０によって利用されて、容量検出入力装置１００の検出領域（センサ電極パターン２００と関連した）内の入力オブジェクトの位置情報が決定される。幾つかの実施形態では、決定モジュール３２０は、第１及び第２のキャパシタンス測定期間からの結果信号を利用して位置データを決定する。
【００５９】
[0066]図４Ｂは、様々な実施形態により、センサ電極パターン２００を処理システムの入力チャネル４１５（４１５−０、４１５−１、４１５−２、４１５−３、４１５−４、４１５−５）と結合するように構成された処理システム１１０Ａのマージャモジュール３０５Ｂのブロック図を示す。
【００６０】
[0067]図２Ａ及び図４Ｂを参照すると、少なくとも１つのノイズ測定期間中に、マージャモジュール３０５Ｂは、ノイズ測定用の電流を取得するための第１の構成において、第１の複数のセンサ電極（例えば、センサ電極２６０）を検出モジュール３１０の１つ以上の入力チャネル４１５に結合する。この第１の構成を実現するため、マージャモジュール３０５Ｂは、スイッチＳＷ０及びＳＷ１を閉じてそれぞれ一体化して同時にセンサ電極２６０−０及び２６０−６を入力チャネル４１５−０と結合し、スイッチＳＷ２及びＳＷ３を閉じてそれぞれ一体化して同時にセンサ電極２６０−１及び２６０−７を入力チャネル４１５−１と結合し、スイッチＳＷ４及びＳＷ５を閉じてそれぞれ一体化して同時にセンサ電極２６０−２及び２６０−８を入力チャネル４１５−２と結合し、スイッチＳＷ６及びＳＷ７を閉じてそれぞれ一体化して同時にセンサ電極２６０−３及び２６０−９を入力チャネル４１５−３と結合し、スイッチＳＷ８及びＳＷ９を閉じそれぞれ一体化して同時にセンサ電極２６０−４及び２６０−１０を入力チャネル４１５−４と結合し、スイッチＳＷ１０及びＳＷ１１を閉じてそれぞれ一体化して同時にセンサ電極２６０−５及び２６０−１１を入力チャネル４１５−５と結合し、スイッチＳＷ１２、ＳＷ１３、ＳＷ１４、ＳＷ１５、ＳＷ１６及びＳＷ１７を開く。このようにして、グループ３からのセンサ電極はどの入力チャネル４１５とも結合されず、一方、グループ１及びグループ２からのセンサ電極が一体化され、それにより、ノイズ測定中に一度に１つのセンサ電極だけが入力チャネルに結合されている場合に２つのノイズ検出期間を利用するのではなく、単一ノイズ測定期間中にグループ１及び２からの全てのセンサ電極で電流を測定できる。
【００６１】
[0068]引き続き図２Ａ及び図４Ｂを参照すると、幾つかの実施形態では、第１のキャパシタンス測定期間中、マージャモジュール３０５Ｂは、容量結果信号を取得するための第２の構成において、第１の複数のセンサ電極の第１のサブセット（例えば、センサ電極２６０）を入力チャネル４１５に結合する。これを実現するために、マージャモジュール３０５Ｂは、スイッチＳＷ１２、ＳＷ１３、ＳＷ１４、ＳＷ１５、ＳＷ１６及びＳＷ１７を開き、ＳＷ０を閉じＳＷ１を開いてセンサ電極２６０−０入力をチャネル４１５−０と結合し、ＳＷ２を閉じＳＷ３を開いてセンサ電極２６０−１を入力チャネル４１５−１と結合し、ＳＷ４を閉じＳＷ５を開いてセンサ電極２６０−２を入力チャネル４１５−２と結合し、ＳＷ６を閉じＳＷ７を開いてセンサ電極２６０−３を入力チャネル４１５−３と結合し、ＳＷ８を閉じＳＷ９を開いてセンサ電極２６０−４を入力チャネル４１５−４と結合し、ＳＷ１０を閉じＳＷ１１を開いてセンサ電極２６０−５を入力チャネル４１５−５と結合する。このようにして、グループ１からのセンサ電極がそれぞれ個々に単一入力チャネルと結合され、それにより、単一キャパシタンス測定期間中にグループ１の全てのセンサ電極から結果信号を取得できる。結果信号は、絶対容量検出及びトランス容量検出のうちの１つ以上の結果でよい。この第１のキャパシタンス測定期間中に取得された結果信号は、決定モジュール３２０によって利用されて、容量検出入力装置１００の検出領域（センサ電極パターン２００と関連付けられた）内の入力オブジェクトの位置情報が決定される。
【００６２】
[0069]引き続き図２Ａ及び図４Ｂを参照すると、幾つかの実施形態では、第１のキャパシタンス測定期間と重ならない第２のキャパシタンス測定期間中に、マージャモジュール３０５Ｂは、容量結果信号を取得するための第３の構成において、第１の複数のセンサ電極の第２のサブセット（例えば、センサ電極２６０）を入力チャネル４１５に結合する。一実施形態では、第２及び第３の構成で共通センサ電極はない。これを実現するため、マージャモジュール３０５Ｂは、スイッチＳＷ１２、ＳＷ１３、ＳＷ１４、ＳＷ１５、ＳＷ１６及びＳＷ１７を開き、ＳＷ１を閉じＳＷ０を開いてセンサ電極２６０−６を入力チャネル４１５−０と結合し、ＳＷ３を閉じＳＷ２を開いてセンサ電極２６０−７を入力チャネル４１５−１と結合し、ＳＷ５を閉じＳＷ４を開いてセンサ電極２６０−８を入力チャネル４１５−２と結合し、ＳＷ７を閉じＳＷ６を開いてセンサ電極２６０−９を入力チャネル４１５−３と結合し、ＳＷ９を閉じＳＷ８を開いてセンサ電極２６０−１０を入力チャネル４１５−４と結合し、ＳＷ１１を閉じＳＷ１０を開いてセンサ電極２６０−１１を入力チャネル４１５−５と結合する。このようにして、グループ２からのセンサ電極はそれぞれ個々に単一入力チャネルと結合され、それにより、単一キャパシタンス測定期間中にグループ２の全てのセンサ電極から結果信号を取得できる。結果信号は、絶対容量検出とトランス容量検出のうちの１つ以上の結果でよい。この第２のキャパシタンス測定期間中に取得された結果信号は、決定モジュール３２０によって利用されて、容量検出入力装置１００の検出領域（センサ電極パターン２００と関連付けられた）内の入力オブジェクトの位置情報が決定される。幾つかの実施形態では、決定モジュール３２０は、第１及び第２のキャパシタンス測定期間からの結果信号を利用して位置情報を決定する。
【００６３】
[0070]引き続き図２Ａ及び図４Ｂを参照すると、幾つかの実施形態では、第１及び第２のキャパシタンス測定期間と重ならない第３のキャパシタンス測定期間中に、マージャモジュール３０５Ｂは、容量結果信号を取得するための第４の構成において、第２の複数のセンサ電極（例えば、センサ電極２７０）を入力チャネル４１５に結合する。一実施形態では、第２、第３及び第４の構成に共通センサ電極はない。これを実現するために、マージャモジュール３０５Ｂは、スイッチＳＷ０〜ＳＷ１１を開き、ＳＷ１２を閉じてセンサ電極２７０−０を入力チャネル４１５−０と結合し、ＳＷ１３を閉じてセンサ電極２７０−１を入力チャネル４１５−１と結合し、ＳＷ１４を閉じてセンサ電極２７０−２を入力チャネル４１５−２と結合し、ＳＷ１５を閉じてセンサ電極２７０−３を入力チャネル４１５−３と結合し、ＳＷ１６を閉じてセンサ電極２７０−４を入力チャネル４１５−４と結合し、ＳＷ１７を閉じてセンサ電極２７０−５を入力チャネル４１５−５と結合する。このようにして、グループ１及び２のセンサ電極と共通電極を共有しないグループ３からセンサ電極がそれぞれ単一入力チャネルと結合され、それにより、単一キャパシタンス測定期間中にグループ３からの全てのセンサ電極から結果信号を取得できる。結果信号は、絶対容量検出とトランス容量検出のうちの１つ以上の結果でよい。この第３のキャパシタンス測定期間中に取得された結果信号は、決定モジュール３２０によって利用されて、容量検出入力装置１００の検出領域（センサ電極パターン２００と関連付けられた）内の入力オブジェクトの位置情報が決定される。幾つかの実施形態では、決定モジュール３２０は、第１、第２及び第３の静電容量期間からの結果信号を利用して位置情報を決定する。
【００６４】
[0071]幾つかの実施形態では、センサ電極の他の組み合わせが１つ以上の入力チャネルと結合されて、ノイズ検出が遂行されうる。例えば、一実施形態では、マージャモジュール３０５Ｂは、ＳＷ１２及びＳＷ０とＳＷ１の１つ以上を閉じて、１つのセンサ電極２７０と１つ以上のセンサ電極２６０が一体化され、入力チャネル４１５−０と結合されるようにする。マージャモジュール３０５Ｂは、入力チャネル４１５−１〜４１５−５に対する類似のマージャを選択的に実現できる。このノイズ検出の遂行と別の時間に容量結果信号を取得するとき、前述されたようなスイッチ開閉技術のいずれも利用できる。別の実施形態では、ノイズ検出中、マージャモジュール３０５Ｂは、スイッチＳＷ１２〜ＳＷ１７を閉じ、同時にスイッチＳＷ１〜ＳＷ１１を開き、それにより、センサ電極２７０を入力チャネル４１５の個々に結合する。このノイズ検出の遂行と別の時間に容量結果信号を取得するとき、前述されたようなスイッチ開閉技術のいずれも利用できる。
【００６５】
[0072]図４Ｃは、様々な実施形態により、センサ電極パターン２００及び関連サイド電極２８０を処理システムの入力チャネル４１５と結合するように構成された処理システム１００Ａのマージャモジュール３０５Ｃのブロック図を示す。
【００６６】
[0073]図２Ｂ及び図４Ｃを参照すると、少なくとも１つのノイズ測定期間中、マージャモジュール３０５Ｃは、ノイズ測定値として電流を取得するための第１の構成において、第１の複数のセンサ電極（例えば、センサ電極２６０）を検出モジュール３１０の１つ以上の入力チャネル４１５に結合する。この第１の構成を実現するため、マージャモジュール３０５Ｃは、スイッチＳＷ０及びＳＷ１を閉じてそれぞれ一体化して同時にセンサ電極２６０−０及び２６０−６を入力チャネル４１５−０と結合し、スイッチＳＷ２及びＳＷ３を閉じてそれぞれ一体化して同時にセンサ電極２６０−１及び２６０−７を入力チャネル４１５−１と結合し、スイッチＳＷ４及びＳＷ５を閉じてそれぞれ一体化して同時にセンサ電極２６０−２及び２６０−８を入力チャネル４１５−２と結合し、スイッチＳＷ６及びＳＷ７を閉じてそれぞれ一体化して同時にセンサ電極２６０−３及び２６０−９を入力チャネル４１５−３と結合し、スイッチＳＷ８及びＳＷ９を閉じてそれぞれ一体化して同時にセンサ電極２６０−４及び２６０−１０を入力チャネル４１５−４と結合し、スイッチＳＷ１０及びＳＷ１１を閉じてそれぞれ一体化して同時にセンサ電極２６０−５及び２６０−１１を入力チャネル４１５−５と結合し、スイッチＳＷ１２、ＳＷ１３、ＳＷ１４、ＳＷ１５、ＳＷ１６、ＳＷ１７、ＳＷ１８及びＳＷ１９を開く。このようにして、サイド電極２８０もグループからのセンサ電極もどの入力チャネル４１５とも結合されず、一方、グループ１とグループ２からのセンサ電極が一体化され、従って、ノイズ測定中に１度に１つのセンサ電極だけが入力チャネルに結合されている場合に２つのノイズ検出期間を利用するのではなく、単一ノイズ測定期間中にグループ１及び２からの全てのセンサ電極で電流を測定できる。
【００６７】
[0074]引き続き図２Ｂと図４Ｃを参照すると、幾つかの実施形態では、第１のキャパシタンス測定期間中、マージャモジュール３０５Ｃは、容量結果信号を取得するための第２の構成において、第１の複数のセンサ電極の第１のサブセット（例えば、センサ電極２６０）を入力チャネル４１５に結合する。これを実現するために、マージャモジュール３０５Ｃは、スイッチＳＷ１２、ＳＷ１３、ＳＷ１４、ＳＷ１５、ＳＷ１６、ＳＷ１７、ＳＷ１８及びＳＷ１９を開き、ＳＷ０を閉じＳＷ１を開いてセンサ電極２６０−０を入力チャネル４１５−０と結合し、ＳＷ２を閉じＳＷ３を開いてセンサ電極２６０−１を入力チャネル４１５−１と結合し、ＳＷ４を閉じＳＷ５を開いてセンサ電極２６０−２を入力チャネル４１５−２と結合し、ＳＷ６を閉じＳＷ７を開いてセンサ電極２６０−３を入力チャネル４１５−３と結合し、ＳＷ８を閉じＳＷ９を開いてセンサ電極２６０−４を入力チャネル４１５−４と結合し、ＳＷ１０を閉じＳＷ１１を開いてセンサ電極２６０−５を入力チャネル４１５−５と結合する。このようにして、グループ１からのセンサ電極がそれぞれ個々に単一入力チャネルと結合され、したがって、単一キャパシタンス測定期間中にグループ１の全てのセンサ電極から結果信号を取得できる。結果信号は、絶対容量検出とトランス容量検出のうちの１つ以上の結果でよい。この第１のキャパシタンス測定期間中に取得された結果信号は、決定モジュール３２０によって利用されて、容量検出入力装置１００の検出領域（センサ電極パターン２００と関連付けられた）内の入力オブジェクトの位置情報が決定される。
【００６８】
[0075]引き続き図２Ｂと図４Ｃを参照すると、幾つかの実施形態で、第１のキャパシタンス測定期間と重ならない第２のキャパシタンス測定期間中に、マージャモジュール３０５Ｃは、容量結果信号を取得するための第３の構成において、第１の複数（例えば、センサ電極２６０）のセンサ電極の第２の完全に異なるサブセットを入力チャネル４１５に結合する。一実施形態では、例えば、第２及び第３の構成に共通センサ電極はない。これを実現するために、マージャモジュール３０５Ｃは、スイッチＳＷ１２、ＳＷ１３、ＳＷ１４、ＳＷ１５、ＳＷ１６、ＳＷ１７、ＳＷ１８及びＳＷ１９を開き、ＳＷ１を閉じＳＷ０を開いて入力チャネル４１５−０をセンサ電極２６０−６と結合し、ＳＷ３を閉じＳＷ２を開いてセンサ電極２６０−７を入力チャネル４１５−１と結合し、ＳＷ５を閉じＳＷ４を開いてセンサ電極２６０−８を入力チャネル４１５−２と結合し、ＳＷ７を閉じＳＷ６を開いてセンサ電極２６０−９を入力チャネル４１５−３と結合し、ＳＷ９を閉じＳＷ８を開いてセンサ電極２６０−１０を入力チャネル４１５−４と結合し、ＳＷ１１を閉じＳＷ１０を開いてセンサ電極２６０−１１を入力チャネル４１５−５と結合する。このようにして、グループ２からのセンサ電極がそれぞれ個々に単一入力チャネルと結合され、したがって、単一キャパシタンス測定期間中に、グループ２の全てのセンサ電極から結果信号を取得できる。結果信号は、絶対容量検出とトランス容量検出のうちの１つ以上の結果でよい。この第２のキャパシタンス測定期間中に取得された結果信号は、決定モジュール３２０によって利用されて、容量検出入力装置１００の検出領域（センサ電極パターン２００と関連付けられた）内の入力オブジェクトの位置情報が決定される。幾つかの実施形態では、決定モジュール３２０は、第１と第２のキャパシタンス測定期間からの結果信号を利用して位置情報を決定する。
【００６９】
[0076]引き続き図２Ｂと図４Ｃを参照すると、幾つかの実施形態では、第１及び第２のキャパシタンス測定期間と重ならない第３のキャパシタンス測定期間中、マージャモジュール３０５Ｃは、容量結果信号を取得するための第４の構成において、第２の複数のセンサ電極（例えば、センサ電極２７０）を入力チャネル４１５に結合する。一実施形態では、第２、第３及び第４の構成に共通センサ電極はない。これを実現するため、マージャモジュール３０５Ｃは、ＳＷ１１及びスイッチＳＷ１８によるスイッチＳＷ０及びＳＷ１９を開き、ＳＷ１２を閉じてセンサ電極２７０−０を入力チャネル４１５−０と結合し、ＳＷ１３を閉じてセンサ電極２７０−１を入力チャネル４１５−１と結合し、ＳＷ１４を閉じてセンサ電極２７０−２を入力チャネル４１５−２と結合し、ＳＷ１５を閉じてセンサ電極２７０−３を入力チャネル４１５−３と結合し、ＳＷ１６を閉じてセンサ電極２７０−４と入力チャネル４１５−４と結合し、ＳＷ１７を閉じてセンサ電極２７０−５を入力チャネル４１５−５と結合する。このようにして、グループ１及び２のセンサ電極とコモン電極を共有しないグループ３の全てのセンサ電極はそれぞれ個々に単一入力チャネルと結合され、したがって、単一キャパシタンス測定期間中に、グループ３からの全てのセンサ電極から結果信号を取得できる。結果信号は、絶対容量検出とトランス容量検出の１つ以上の結果でよい。この第３のキャパシタンス測定期間中に取得された結果信号は、決定モジュール３２０によって利用されて、容量検出入力装置１００の検出領域（センサ電極パターン２００と関連付けられた）内の入力オブジェクトの位置情報が決定される。幾つかの実施形態では、決定モジュール３２０は、第１、第２及び第３のキャパシタンス測定期間からの結果信号を利用して位置情報を決定する。
【００７０】
[0077]幾つかの実施形態では、センサ電極の他の組合せが、１つ以上の入力チャネルと結合されてノイズ検出が遂行されうる。例えば、一実施形態では、マージャモジュール３０５Ｃは、ＳＷ０とＳＷ１の１つ以上及びＳＷ１２とＳＷ１８の１つ以上を閉じて、その結果、少なくとも１つのレシーバ電極２６０及びトランスミッタ電極２７０とサイド電極２８０−０の１つ以上が一体化され入力チャネル４１５−０と結合されるようにする。マージャモジュール３０５Ｃは、入力チャネル４１５−１〜４１５−５に対して類似のマージャを選択的に実現できる（示された例では、これらの入力チャネルのうち入力チャネル４１５−１だけがサイド電極と結合されうることに注意されたい）。このノイズ検出の遂行と別の時間に容量結果信号を取得するとき、前述のようなスイッチ開閉技術のどれも利用できる。別の実施形態では、ノイズ検出中、マージャモジュール３０５Ｃは、スイッチＳＷ１２〜ＳＷ１７、ＳＷ１８及びＳＷ１９を閉じ、同時にスイッチＳＷ１〜ＳＷ１１を開き、したがってセンサ電極２７０−２〜２７０−５をそれぞれ個々に入力チャネル４１５−２〜４１５−５に結合し、同時にセンサ電極２７０−０とサイド電極２８０−０を入力チャネル４１５−０に一体化し、センサ電極２７０−１とサイド電極２８０−１を入力チャネル４１５−１に一体化する。このノイズ検出の遂行と別の時間に容量結果信号を取得するとき、前述のようなスイッチ開閉技術のどれも利用できる。
【００７１】
[0078]図４Ａ〜図４Ｃに限られた数の例だけを示したが、この概念の最終表現が、全てのセンサ電極２６０、全てのセンサ電極２７０及び全てのサイド電極２８０を任意の選択された入力チャネル（例えば、入力チャネル４１５−０）に選択的に結合可能にするマージャモジュール３０５を予想し想定することを理解されたい。更に、ノイズ測定期間中、複数のセンサ電極及び／又はサイド電極が、電流を測定するために単一入力チャネル（例えば、４１５−０）と結合されたとき、ａ）電力を節約するために、他の入力チャネルが、必要とされないか又は使用されない場合に遮断されるか低電力モードにされ、またｂ）利用される入力チャネルによって電流測定に使用されるアナログ増幅器及び他のフロントエンド回路が、飽和するか他の形で圧倒されることなく一体化された電流を測定できるように適切にサイズ決めされなければならないことを理解されたい。
【００７２】
例示的な操作方法
[0079]図５Ａ、図５Ｂ、図５Ｃ及び図５Ｄは、様々な実施形態による容量検出方法のフロー図５００を示す。この方法の手順は、図１〜図４Ｃの１つ以上の図の要素及び／又は構成要素に関連して述べられる。幾つかの実施形態では、手順は、述べた順序と異なる順序で実行されてもよく、述べた手順の幾つかは実行されなくてもよく、及び／又は述べた手順に対する１つ以上の追加手順が実行されてもよいことを理解されたい。
【００７３】
[0080]図５Ａを参照すると、フロー図５００の手順５１０で、一実施形態では、第１の構成において、センサ電極パターンの第１の複数のセンサ電極が処理システムの入力チャネルに結合され、センサ電極パターンが、検出領域と関連付けられる。図２Ａと図４Ａを参照すると、幾つかの実施形態では、これは、センサ電極２６０のグループ１及び２を一体化して全てのセンサ電極を入力チャネル４１５に同時に結合することによって、第１の構成において、１つ以上のセンサ電極２６０を入力チャネル４１５に結合する処理システム１１０Ａのマージャモジュール３０５を含む。入力チャネル４１５よりも多くのセンサ電極２６０があるので、これは、少なくとも１つ及び全ての入力チャネル４１５がそれぞれ、複数のセンサ電極２６０（即ち、２つ以上のレシーバ電極）と同時に結合されることを意味する。例えば、この第１の構成は、センサ電極２６０−０及び２６０−６を入力チャネル４１５−０に同時に結合するなど、第１の複数のセンサ電極のうちの少なくとも２つのセンサ電極２６０を単一入力チャネル４１５に同時に結合するマージャモジュール３０５を含みうる。図２Ｂ、図４Ｂ及び図４Ｃを更に参照すると、幾つかの実施形態では、この第１の構成の一部として、マージャモジュール３０５は、少なくとも１つのセンサ電極２６０（即ち、レシーバ電極）を入力チャネル４１５−０などの入力チャネルに、１つ以上のセンサ電極２７０（即ち、トランスミッタ電極）及びサイド電極２８０のような１つ以上のタイプの電極と共に同時に結合する。
【００７４】
[0081]引き続き図５Ａを参照すると、フロー図５００の手順５２０で、一実施形態では、第１の複数のセンサ電極の第１の構成が、電流の測定値を取得するために利用される。この電流測定は、処理システム１１０Ａが、センサ電極パターン２００のセンサ電極のどれでも信号を送信していない間に行われる。電流は、センサ電極の第１の構成で、センサ電極の動作環境内のノイズによって誘導される。電流の測定は、幾つかの実施形態では、検出モジュール３１０によって行われる。幾つかの実施形態では、検出モジュール３１０は、電流の測定に、容量検出中に結果信号の測定に使用する回路と同じ回路を利用する。
【００７５】
[0082]引き続き図５Ａを参照すると、フロー図５００の手順５３０で、一実施形態では、ノイズ環境が、電流測定値の分析によって決定される。幾つかの実施形態では、決定モジュール３２０は、この決定を、測定される電流の量に少なくとも部分的に基づいて行う。次に、決定モジュール３２０は、検出モジュール３１０とマージャモジュール３０５を変更、調整又はそれに指示して、ノイズ回避のためにあるタイプ又は手法の容量検出又は特定構成のセンサ電極を利用し、かつ／又は存在することが分かったセンサ電極のノイズ環境に基づいて利用するフィルタリング／処理アルゴリズムのタイプを選択できる。
【００７６】
[0083]引き続き図５Ａを参照すると、フロー図５００の手順５４０で、一実施形態では、第２の構成において、第１の複数のセンサ電極の少なくとも１つのサブセットが入力チャネルに結合され、第２の構成と第１の構成とは異なる。マージャモジュール３０５は、幾つかの実施形態では、第１の複数のセンサ電極（例えば、センサ電極２６０）の少なくともサブセットを入力チャネル４１５に結合するように動作する。これは、容量検出が行われている期間中、利用される入力チャネル４１５と単一センサ電極だけを結合することを含む。例えば、図２Ａ、図２Ｂ、図４Ａ、図４Ｂ及び図４Ｃを参照すると、これは、センサ電極２６０−０を入力チャネル４１５−０に結合し、センサ電極２６０−１を入力チャネル４１５−１に結合し、センサ電極２６０−２を入力チャネル４１５−２に結合し、入力チャネル４１５−３をセンサ電極２６０−３に結合し、センサ電極２６０−４を入力チャネル４１５−４に結合し、センサ電極２６０−５を入力チャネル４１５−５に結合するような、グループ１の以上のセンサ電極２６０だけを入力チャネル４１５に結合する（他の電極を結合しない）ために適切なスイッチを閉じるマージャモジュール３０５を含みうる。
【００７７】
[0084]引き続き図５Ａを参照すると、フロー図５００の手順５５０で、一実施形態では、第１の複数のセンサ電極の第２の構成を利用して容量結果信号を取得する。幾つかの実施形態では、これは、これらの結果信号を取得し、それを決定モジュール３２０に提供する検出モジュール３１０を含む。取得された容量結果信号は、トランス容量及び絶対容量検出の一方又は両方の結果として取得されうる。
【００７８】
[0085]図５Ｂを参照すると、フロー図５００の手順５６０に示されたように、幾つかの実施形態では、５１０〜５５０に記述された方法は、更に、容量結果信号に基づいて検出領域に対する入力オブジェクトの位置を決定することを含む。幾つかの実施形態では、これは、容量結果信号を使用して、センサ電極パターン２００などの容量センサパターンに関連した検出領域１２０に対する入力オブジェクト（例えば、入力オブジェクト１４０）の位置を決定する決定モジュール３２０を含む。また、これは、フィルタリング又は他の処理アルゴリズムを使用して、容量結果信号の取得に使用されたセンサ電極の動作環境に存在することが決定されたノイズを緩和する決定モジュール３２０を含みうる。この位置決定は、更に、幾つかの実施形態では、グループ１とグループ２両方のセンサ電極などからのノイズを測定するために使用されるセンサ電極の別のサブセットからの追加の結果信号の使用を含みうる。
【００７９】
[0086]図５Ｃを参照すると、フロー図５００の手順５７０に示されたように、幾つかの実施形態では、５１０〜５５０で述べたような方法が、更に、センサ電極パターンの第１の複数のセンサ電極の第２のサブセットを入力チャネルに結合することを含み、第１の複数のセンサ電極の少なくとも１つのサブセットと第１の複数のセンサ電極の第２のサブセットは、共通センサ電極を共有しない。グループ１のセンサ電極と別の時間に、センサ電極２６０−６〜２６０−１１（即ち、グループ２）が、同様に、容量結果信号を取得するために入力チャネル４１５と個々に結合されうる。追加又は代替として、容量結果信号を取得するために、センサ電極２６０の他のサブセットが同様に、１つ以上の入力チャネル４１５に個々に結合されうることを理解されたい。例えば、幾つかの実施形態では、これは、スイッチを閉じてグループ２のセンサ電極だけを入力チャネル４１５に個々に（１つの入力チャネル当たり１つのセンサ電極）結合するマージャモジュール３０５を含む。例えば、幾つかの実施形態では、これは、センサ電極２６０−６を入力チャネル４１５−０に結合し、センサ電極２７０−７を入力チャネル４１５−１に結合し、センサ電極２６０−８を入力チャネル４１５−２に結合し、入力チャネル４１５−３をセンサ電極２６０−９に結合し、センサ電極２６０−１０を入力チャネル４１５−４に結合し、センサ電極２６０−１１を入力チャネル４１５−５に結合するような、グループ２の以上のセンサ電極２６０だけを入力チャネル４１５に結合する（他の電極を結合しない）ために、適切なスイッチを閉じるマージャモジュール３０５を含みうる。
【００８０】
[0087]引き続き図５Ｃを参照すると、フロー図５００の手順５７５で示されたように、幾つかの実施形態では、５１０−５７０で述べた方法は、更に、第２のサブセットを利用して第２の容量結果信号を取得することを含む。幾つかの実施形態では、これは、これらの結果信号を取得し、それらを決定モジュール３２０に提供する検出モジュール３１０を含む。取得された容量結果信号は、トランス容量検出と絶対容量検出の一方又は両方の結果として取得されうる。
【００８１】
[0088]幾つかの実施形態では、これは、更に、容量結果信号を使用して、センサ電極パターン２００などの容量センサパターンと関連付けられた検出領域１２０に対する入力オブジェクト（例えば、入力オブジェクト１４０）の位置を決定する決定モジュール３２０を含む。位置を決定するとき、第２のサブセットからの結果信号が、他のセンサ電極構成から得られた他の結果と共に利用されうる。例えば、図５Ｂの５６０で述べたような位置決定は、更に、幾つかの実施形態では、グループ１とグループ２両方のセンサ電極方などからの、ノイズを測定するために使用されるセンサ電極の別のサブセットからの追加の結果信号の使用を伴う。これは、また、フィルタリング又は他の処理アルゴリズムを使用して、容量結果信号を取得するために使用されるセンサ電極の動作環境に存在することが決定されたノイズを緩和する決定モジュール３２０を含みうる。
【００８２】
[0089]図５Ｄを参照すると、フロー図５００の手順５８０に示されたように、幾つかの実施形態では、５１０−５５０で述べたような方法は、更に、第３の構成において、センサ電極パターンの第２の複数のセンサ電極を入力チャネルに結合することを含み、第１の複数のセンサ電極と第２の複数のセンサ電極は、共通センサ電極を共有しない。例えば、幾つかの実施形態では、これは、スイッチを閉じてセンサ電極２７０だけを入力チャネル４１５に個々に（１つの入力チャネル当たり１つのセンサ電極）結合するマージャモジュール３０５を含む。例えば、幾つかの実施形態では、これは、センサ電極２７０−０を入力チャネル４１５−０に結合し、センサ電極２７０−１を入力チャネル４１５−１に結合し、センサ電極２７０−２を入力チャネル４１５−２に結合し、入力チャネル４１５−３をセンサ電極２７０−３に結合し、センサ電極２７０−４を入力チャネル４１５−４に結合し、センサ電極２７０−５を入力チャネル４１５−５に結合するような、グループ３の以上のセンサ電極２７０だけを入力チャネル４１５に結合する（他の電極を結合しない）ために適切なスイッチを閉じるマージャモジュール３０５を含むことができる。
【００８３】
[0090]引き続き図５Ｄを参照すると、フロー図５００の手順５８５に示されたように、幾つかの実施形態では、５１０−５８０で述べたような方法は、更に、第３の構成を利用して第２の容量結果信号を取得することを含む。幾つかの実施形態では、これは、これらの結果信号を取得し、その結果信号を決定モジュール３２０に提供する検出モジュール３１０を含む。取得された容量結果信号は、トランス容量検出と絶対容量検出の１つ又は両方の結果として取得されうる。幾つかの実施形態では、第１の構成は、長い軸の電極をレシーバチャネルに結合することを含みうる。即ち、より少数の電極を有する軸が、レシーバチャネルに結合されうる。これは、短い軸の電極、即ちより多数の電極を有する電極軸が、容量結果信号を取得するために第２の構成と第３の構成で使用されるときに有用なことがある。より一般には、第１の電極軸は、ノイズを決定するための構成で使用され、第２の電極軸は、入力オブジェクト位置を決定するときに使用されうる。これは、第１の軸電極の数が、レシーバチャネルの数以下であるが、第２の軸電極の数が、レシーバチャネルの数より大きいときに有用でありうる。ノイズ決定のために電極を一体化できることが決定された場合は、第１の軸電極の使用によって処理時間が短縮されうる。
【００８４】
[0091]幾つかの実施形態では、これは、更に、容量結果信号を使用して、センサ電極パターン２００などの容量センサパターンと関連付けられた検出領域１２０に対する入力オブジェクト（例えば、入力オブジェクト１４０）の位置を決定する決定モジュール３２０を含む。第３の構成からの結果信号は、位置を決定するときに、他のセンサ電極構成から得られた他の結果と共に利用されうる。これは、また、フィルタリング又は他の処理アルゴリズムを使用して、容量結果信号を取得するために使用されるセンサ電極の動作環境に存在することが決定されたノイズを緩和する決定モジュール３２０を含む。
【００８５】
[0092]本明細書に示された例は、最良に説明し、特定用途について述べ、それにより当業者が示された例の実施形態を作成し使用できるようにするために提示された。しかしながら、当業者は、以上の記述と例が、単に説明と例示のために提示されたことを理解するであろう。示されたような記述は、網羅的でもなく、実施形態を開示された厳密な形態に限定するものでもない。
【００８６】
[0093]本明細書全体にわたる「一実施形態」、「特定の実施形態」、「実施形態」、「様々な実施形態」、「幾つかの実施形態」又は類似の用語の参照は、実施形態と関連して述べた特定の特徴、構造又は特性が、少なくとも１つの実施形態に含まれることを意味する。したがって、本明細書全体の様々な場所のそのような語句の出現は、必ずしも同じ実施形態を指すとは限らない。更に、特定の特徴、構造又は特性は、任意の適切な形で限定なしに１つ以上の実施形態に組み合わされうる。
【００８７】
[0094]要約として、この記述は、少なくとも以下の広い概念を開示した。
【００８８】
概念１。容量検出を含む方法であって、
第１の構成において、センサ電極パターンの第１の複数のセンサ電極を処理システムの入力チャネルに結合するステップであって、前記センサ電極パターンが、検出領域と関連付けられるステップと、
前記第１の複数のセンサ電極の前記第１の構成を利用して、電流測定値を取得するステップと、
前記電流測定値の分析によってノイズ環境を決定するステップと、
第２の構成において、前記第１の複数のセンサ電極の少なくとも１つのサブセットを前記入力チャネルに結合するステップであって、前記第２の構成と前記第１の構成が異なるステップと、
前記第１の複数のセンサ電極の前記第２の構成を利用して容量結果信号を取得するステップと、を含む方法。
【００８９】
概念２。前記前記容量結果信号に基づいて、前記検出領域に対する入力オブジェクトの位置を決定するステップを更に含む、概念１の方法。
【００９０】
概念３。前記センサ電極パターンの前記第１の複数のセンサ電極の第２のサブセットを前記入力チャネルに結合するステップであって、前記第１の複数のセンサ電極の前記少なくとも１つのサブセットと、前記第１の複数のセンサ電極の前記第２のサブセットが、共通センサ電極を共有しないステップと、
前記第２のサブセットを利用して第２の容量結果信号を取得するステップと、を更に含む、概念１の方法。
【００９１】
概念４。第３の構成において、前記センサ電極パターンの第２の複数のセンサ電極を前記入力チャネルに結合するステップであって、前記第１の複数のセンサ電極と前記第２の複数のセンサ電極が共通センサ電極を共有しないステップと、
前記第３の構成を利用して第２の容量結果信号を取得するステップと、を含む、概念１の方法。
【００９２】
概念５。前記容量結果信号に基づいて、前記検出領域に対する入力オブジェクトの位置を決定する前記ステップが、
前記容量結果信号と前記第２の容量結果信号に基づいて、前記検出領域に対する入力オブジェクトの位置を決定するステップを更に含む、概念４の方法。
【００９３】
概念６。第１の構成において、センサ電極パターンの第１の複数のセンサ電極を処理システムの入力チャネルに結合する前記ステップが、
前記第１の複数のセンサ電極の少なくとも２つのセンサ電極を単一入力チャネルに同時に結合するステップを含む、概念１の方法。
【００９４】
概念７。前記第１の複数のセンサ電極の少なくとも２つのセンサ電極を単一入力チャネルに同時に結合する前記ステップが、
少なくとも２つのレシーバ電極を前記入力チャネルの単一入力チャネルに同時に結合するステップを含む、概念６の方法。
【００９５】
概念８。前記複数のセンサ電極の少なくとも２つのセンサ電極を前記単一入力チャネルに同時に結合するステップが、
少なくとも１つのレシーバ電極と１つの他のタイプの電極を前記単一入力チャネルに同時に結合するステップであって、前記他のタイプの電極が、トランスミッタ電極とサイド電極とからなるグループから選択される、概念６の方法。
【００９６】
概念９。第２の構成において、前記複数のセンサ電極を前記入力チャネルに結合する前記ステップが、
単一センサ電極だけを前記入力チャネルの任意の入力チャネルに結合するステップを含む、概念１の方法。
【００９７】
概念１０。容量検出入力装置のための処理システムにおいて、
複数の入力チャネルを含む検出モジュールであって、
前記容量検出入力装置のセンサ電極パターンの第１の複数のセンサ電極を作動させることによって電流測定値を取得してノイズ信号を受信し、
容量検出用のセンサ電極パターンのセンサ電極を作動させることによって容量結果信号を取得するように構成された検出モジュールと、
マージャモジュールであって、
前記電流測定値を取得するための第１の構成において、前記第１の複数のセンサ電極を前記入力チャネルに結合し、
前記容量結果信号を取得するための第２の構成において、前記第１の複数のセンサ電極の少なくとも１つのサブセットを前記入力チャネルに結合するように構成されたマージャモジュールと、
決定モジュールであって、
前記電流測定値の分析によって前記容量検出入力装置のノイズ環境を決定し、
前記容量結果信号に基づいて、前記容量検出入力装置の検出領域内の入力オブジェクトの位置情報を決定するように構成された決定モジュールとを含む、処理システム。
【００９８】
概念１１。前記マージャモジュールが、更に、第３の構成において、前記センサ電極パターンの第２の複数のセンサ電極を前記入力チャネルに結合するように構成され、前記第１の複数のセンサ電極と前記第２の複数のセンサ電極が、共通センサ電極を共有せず、
前記検出モジュールが、更に、前記第３の構成を利用して第２の容量結果信号を取得するように構成された、概念１０の処理システム。
【００９９】
概念１２。前記決定モジュールが、更に、前記容量結果信号と前記第２の容量結果信号に基づいて、前記容量検出入力装置の前記検出領域内の前記入力オブジェクトの位置情報を決定するように構成された、概念１１の処理システム。
【０１００】
概念１３。前記第１の構成が、
前記第１の複数のセンサ電極の少なくとも２つのセンサ電極を単一入力チャネルに同時に結合することを含む、概念１０の処理システム。
【０１０１】
概念１４。前記少なくとも２つのセンサ電極が、少なくとも２つのレシーバ電極を含む、概念１３の処理システム。
【０１０２】
概念１５。前記少なくとも２つのセンサ電極が、少なくとも１つのレシーバ電極と１つの他のタイプの電極を含み、前記他のタイプの電極が、トランスミッタ電極とサイド電極とからなるグループから選択される、概念１３の処理システム。
【０１０３】
概念１６。前記第１の複数のセンサ電極が、
１対の実質的に直角に配置された軸のうち、前記１対の軸のより多数のセンサ電極を有する軸に沿って配置されたセンサ電極を含む、概念１０の処理システム。
【０１０４】
概念１７。第２の構成において、前記複数のセンサ電極を前記入力チャネルに結合する前記ステップが、
単一センサ電極だけを前記入力チャネルの任意の入力チャネルに結合するステップを含む、概念１０の処理システム。
【０１０５】
概念１８。前記マージャモジュールは、
第１の期間中に、前記第１の複数のセンサ電極の第１のサブセットを前記入力チャネルに結合し、
第２の期間中に、前記第１の複数のセンサ電極の第２の全く異なるサブセットを前記入力チャネルに結合することによって、前記第２の構成を実現するように構成され、前記第１の期間と前記第２の期間が重ならない、概念１０の処理システム。
【０１０６】
概念１９。容量検出入力装置であって、
検出領域と関連付けられたセンサ電極パターンと、
処理システムであって、
第１の構成において、前記センサ電極パターンの第１の複数のセンサ電極を前記処理システムの入力チャネルに結合し、
前記第１の複数のセンサ電極の前記第１の構成を利用して電流測定値を取得し、
前記電流測定値の分析によってノイズ環境を決定し、
第２の構成において、前記第１の複数のセンサ電極の少なくとも１つのサブセットを前記入力チャネルに結合し、前記第２の構成と前記第１の構成が異なり、
センサ電極の前記第２の構成を利用して容量結果信号を取得し、
前記容量結果信号に基づいて、前記検出領域に対する入力オブジェクトの位置を決定するように構成された処理システムとを含む容量検出入力装置。
【０１０７】
概念２０。前記処理システムが、
前記第１の複数のセンサ電極の少なくとも２つのセンサ電極を単一入力チャネルに同時に結合して前記第１の構成を実現するように構成された、概念１９の容量検出入力装置。
【０１０８】
概念２１。前記少なくとも２つのセンサ電極が、
少なくとも２つのレシーバ電極を含む、概念２０の容量検出入力装置。
【０１０９】
概念２２。前記少なくとも２つのセンサ電極が、
少なくとも１つのレシーバ電極と１つの他のタイプの電極を含み、前記他のタイプの電極が、トランスミッタ電極とサイド電極とからなるグループから選択される、概念２０の容量検出入力装置。
【０１１０】
概念２３。前記第１の複数のセンサ電極が、
１対の実質的に直角に配置された軸のうち、前記１対の軸のより多数のセンサ電極を有する軸に沿って配置されたセンサ電極を含む、概念１９の容量検出入力装置。
【０１１１】
概念２４。前記処理システムが、
単一センサ電極だけを前記入力チャネルの任意の入力チャネルに結合して前記第２の構成を実現するように構成された、概念１９の容量検出入力装置。
【０１１２】
概念２５。前記前記処理システムが、
第１の期間中に前記第１の複数のセンサ電極の第１のサブセットを前記入力チャネルに結合し、
第２の期間中に前記第１の複数のセンサ電極の第２の全く異なるサブセットを前記入力チャネルに結合することによって、前記第２の構成を実現するように構成され、前記第１の期間と前記第２の期間が重ならない、概念１９に記載の容量検出入力装置。
【符号の説明】
【０１１３】
１００  入力装置
１１０  処理システム
１２０  検出領域
１３０  ボタン
１４０  入力オブジェクト
１５０  電子システム
２００  センサ電極パターン
２６０、２７０センサ電極
２８０  サイド電極
２９０  容量画素
３０５  マージャモジュール
３１０  検出モジュール
３２０  決定モジュール
【図１】
2018523214.tif 000003
【図２Ａ】
2018523214.tif 000004
【図２Ｂ】
2018523214.tif 000005
【図３】
2018523214.tif 000006
【図４Ａ】
2018523214.tif 000007
【図４Ｂ】
2018523214.tif 000008
【図４Ｃ】
2018523214.tif 000009
【図５Ａ】
2018523214.tif 000010
【図５Ｂ】
2018523214.tif 000011
【図５Ｃ】
2018523214.tif 000012
【図５Ｄ】
2018523214.tif 000013
【国際調査報告】
2018523214.tif 000014
2018523214.tif 000015